(57)【要約】【課題】被験者に適切な運動処方を提示する運動処方装置を提供する。【解決手段】運動処方装置は、被験者の身体能力測定に基づく身体能力評価値を取得する身体能力取得部と、少なくとも身体能力評価値に基づいて運動処方を示す処方情報を出力する処方情報出力部と、を備える。【選択図】図８
2014153962.tif 000002
【特許請求の範囲】
【請求項１】
被験者の身体能力測定に基づく身体能力評価値を取得する身体能力取得部と、
少なくとも前記身体能力評価値に基づいて運動処方を示す処方情報を出力する処方情報出力部と、
を備えたことを特徴とする運動処方装置。
【請求項２】
前記被験者に対する問診結果を受け付ける問診結果受付部、
を備え、
前記処方情報出力部は、
少なくとも前記身体能力評価値及び前記問診結果に基づいて前記処方情報を出力する、
ことを特徴とする請求項１に記載の運動処方装置。
【請求項３】
前記身体能力取得部は、
前記被験者の運動力測定に基づく運動力評価値の入力を受け付ける運動力受付部を備え、
前記処方情報出力部は、
少なくとも前記運動力評価値を前記身体能力評価値として、前記処方情報を出力する、
ことを特徴とする請求項１又は２に記載の運動処方装置。
【請求項４】
前記身体能力取得部は、
前記被験者の所定の身体部位における体組成に基づく体組成情報の入力を受け付ける体組成情報受付部と、
前記体組成情報受付部で受け付けた体組成情報に基づいて体組成評価値を決定する体組成評価部と、
を備え、
前記処方情報出力部は、
少なくとも前記体組成評価値を前記身体能力評価値として、前記処方情報を出力する、
ことを特徴とする請求項１から３のいずれか一項に記載の運動処方装置。
【請求項５】
前記身体能力取得部は、
前記被験者の所定の身体部位における体組成に基づく体組成情報の入力を受け付ける体組成情報受付部と、
前記体組成情報受付部で受け付けた体組成情報に基づいて体組成評価値を決定する体組成評価部と、
を備え、
前記処方情報出力部は、
少なくとも前記運動力評価値及び前記体組成評価値を前記身体能力評価値として、前記処方情報を出力する、
ことを特徴とする請求項３に記載の運動処方装置。
【請求項６】
前記体組成情報受付部は、
前記被験者の所定の身体部位における筋厚の入力を受け付ける筋厚受付部を備え、
前記体組成評価部は、
前記筋厚受付部で受け付けた筋厚に基づいて筋厚評価値を決定する筋厚評価部を備え、
前記処方情報出力部は、
少なくとも前記筋厚評価値を前記体組成評価値として、前記処方情報を出力する、
ことを特徴とする請求項４又は５に記載の運動処方装置。
【請求項７】
前記体組成情報受付部は、
前記被験者の前記所定の身体部位における脂肪厚の入力を受け付ける脂肪厚受付部を備え、
前記体組成評価部は、
前記脂肪厚受付部で受け付けた脂肪厚に基づいて脂肪厚評価値を決定する脂肪厚評価部を備え、
前記処方情報出力部は、
少なくとも前記脂肪厚評価値を前記体組成評価値として、前記処方情報を出力する、
ことを特徴とする請求項４から６のいずれか一項に記載の運動処方装置。
【請求項８】
前記体組成情報受付部は、
前記被験者の前記所定の身体部位における脂肪厚の入力を受け付ける脂肪厚受付部を備え、
前記体組成評価部は、
前記脂肪厚受付部で受け付けた脂肪厚に基づいて脂肪厚評価値を決定する脂肪厚評価部を備え、
前記処方情報出力部は、
少なくとも前記筋厚評価値及び前記脂肪厚評価値を前記体組成評価値として、前記処方情報を出力する、
ことを特徴とする請求項６に記載の運動処方装置。
【請求項９】
前記問診結果受付部は、
前記問診結果として、前記被験者の運動目標の入力を受け付ける運動目標受付部、
を備え、
前記処方情報出力部は、前記運動目標受付部で受け付けた運動目標に基づいて前記処方情報を出力する、
ことを特徴とする請求項２に記載の運動処方装置。
【請求項１０】
前記運動目標受付部は、
予め設定された複数の運動目標のうちの少なくともいずれかに対応する問診項目を複数提示するとともに、当該問診項目に対する前記問診結果に基づいて、当該複数の運動目標の中から所定の運動目標を、入力されるべき運動目標として提示する、
ことを特徴とする請求項９に記載の運動処方装置。
【請求項１１】
前記問診結果受付部は、
前記問診結果として、前記被験者が所望する運動内容の入力を受け付ける運動内容受付部を備え、
前記処方情報出力部は、前記運動内容受付部で受け付けた運動内容に基づいて前記処方情報を出力する、
ことを特徴とする請求項２、９、又は１０に記載の運動処方装置。
【請求項１２】
前記運動内容受付部は、
前記被験者が所望する運動内容として選択可能な複数の運動方法を提示するとともに、当該提示した複数の運動方法のうち、受け付けた運動方法が所定の運動方法である場合には、運動を行う身体部位を選択可能に提示する、
ことを特徴とする請求項１１に記載の運動処方装置。
【請求項１３】
前記運動を行う身体部位が選択可能に提示される運動方法の一部又は全部は、運動を行う処方回数の設定が可能であって、
前記運動内容受付部は、
前記被験者が所望する運動内容として受け付けた運動方法が前記運動を行う処方回数を設定可能な運動方法である場合には、前記運動を行う処方回数に対応する運動効果を示す情報を選択可能に提示する、
ことを特徴とする請求項１２に記載の運動処方装置。
【請求項１４】
前記身体能力評価値、前記処方情報、及び処方日を対応づけて記憶する記憶部と、
過去の処方の閲覧指示を受け付ける閲覧受付部と、
前記閲覧受付部で閲覧指示を受け付けると、前記記憶部の記憶内容を参照して前記身体能力評価値、及び前記処方情報を前記処方日ごとに区分けした閲覧情報を出力する閲覧情報出力部と、
を備えることを特徴とする請求項１から１３のいずれか一項に記載の運動処方装置。
【請求項１５】
被験者の端末装置と通信可能な通信部を備え、
前記閲覧受付部は、前記通信部を用いて前記被験者の閲覧指示を受け付け、
前記閲覧情報出力部は、前記通信部を用いて前記閲覧情報を前記被験者の端末装置に出力する、
ことを特徴とする請求項１４に記載の運動処方装置。
【請求項１６】
被験者の身体能力測定に基づく身体能力評価値を取得する身体能力取得手順と、
少なくとも前記身体能力評価値に基づいて運動処方を示す処方情報を出力する処方情報出力手順と、
を備えたことを特徴とする運動処方方法。
【請求項１７】
コンピュータに、
被験者の身体能力測定に基づく身体能力評価値を取得する身体能力取得手順と、
少なくとも前記身体能力評価値に基づいて運動処方を示す処方情報を出力する処方情報出力手順と、
を実行させるためのプログラム。
【請求項１８】
被験者の所定の身体部位における筋厚の入力を受け付ける筋厚受付部と、
前記筋厚受付部で受け付けた筋厚に基づいて筋厚評価値を決定する筋厚評価部と、
前記被験者の運動力測定に基づく運動力評価値の入力を受け付ける運動力受付部と、
少なくとも前記運動力評価値及び前記筋厚評価値に基づいて運動処方を示す処方情報を出力する処方情報出力部と、
を備えたことを特徴とする運動処方装置。
【請求項１９】
前記被験者の前記所定の身体部位における脂肪厚の入力を受け付ける脂肪厚受付部と、
前記脂肪厚受付部で受け付けた脂肪厚に基づいて脂肪厚評価値を決定する脂肪厚評価部と、をさらに備え、
前記処方情報出力部は、少なくとも前記運動力評価値、前記筋厚評価値及び前記脂肪厚評価値に基づいて前記処方情報を出力する、
ことを特徴とする請求項１８に記載の運動処方装置。
【請求項２０】
前記被験者の性別の入力を受け付ける性別受付部をさらに備え、
前記筋厚評価部は、前記性別受付部で受け付けた性別に応じて、前記筋厚受付部で受け付けた筋厚に対して決定する筋厚評価値の一部または全部を異ならせる
ことを特徴とする請求項１８又は１９に記載の運動処方装置。
【請求項２１】
前記被験者の年齢区分を取得する年齢区分取得部をさらに備え、
前記筋厚評価部は、前記年齢区分取得部で取得した年齢区分に応じて、前記筋厚受付部で受け付けた筋厚に対して決定する筋厚評価値の一部または全部を異ならせる
ことを特徴とする請求項１８から２０のいずれか一項に記載の運動処方装置。
【請求項２２】
前記被験者の身長の入力を受け付ける身長受付部をさらに備え、
前記筋厚評価部は、前記身長受付部で受け付けた身長に応じて、前記筋厚受付部で受け付けた筋厚に対して決定する筋厚評価値の一部または全部を異ならせる、
ことを特徴とする請求項１８から２１のいずれか一項に記載の運動処方装置。
【請求項２３】
前記被験者の体重を受け付ける体重受付部をさらに備え、
前記筋厚評価部は、前記体重受付部で受け付けた体重に応じて、前記筋厚受付部で受け付けた筋厚に対して決定する筋厚評価値の一部または全部を異ならせる、
ことを特徴とする請求項１８から２２のいずれか一項に記載の運動処方装置。
【請求項２４】
前記被験者が所望する運動内容の入力を受け付ける運動内容受付部をさらに備え、
前記処方情報出力部は、前記運動内容受付部で受け付けた運動内容に基づいて前記処方情報を出力する、
ことを特徴とする請求項１８から２３のいずれか一項に記載の運動処方装置。
【請求項２５】
前記筋厚評価値、前記運動力評価値、前記処方情報、及び処方日を対応づけて記憶する記憶部と、
過去の処方の閲覧指示を受け付ける閲覧受付部と、
前記閲覧受付部で閲覧指示を受け付けると、前記記憶部の記憶内容を参照して前記筋厚評価値、前記運動力評価値、及び前記処方情報を前記処方日ごとに区分けした閲覧情報を出力する閲覧情報出力部とを備えた、
ことを特徴とする請求項１８から２４のいずれか一項に記載の運動処方装置。
【請求項２６】
被験者の端末装置と通信可能な通信部を備え、
前記閲覧受付部は、前記通信部を用いて前記被験者の閲覧指示を受け付け、
前記閲覧情報出力部は、前記通信部を用いて前記閲覧情報を前記被験者の端末装置に出力する、
ことを特徴とする請求項２５に記載の運動処方装置。
【請求項２７】
被験者の所定の身体部位における筋厚の入力を受け付ける筋厚受付手順と、
前記筋厚受付手順で受け付けた筋厚に基づいて筋厚評価値を決定する筋厚評価手順と、
前記被験者の運動力測定に基づく運動力評価値の入力を受け付ける運動力受付手順と、
少なくとも前記運動力評価値及び前記筋厚評価値に基づいて運動処方を示す処方情報を出力する出力手順と、
を備えたことを特徴とする運動処方方法。
【請求項２８】
前記被験者の前記所定の身体部位における脂肪厚の入力を受け付ける脂肪厚受付手順と、
前記脂肪厚受付手順で受け付けた脂肪厚に基づいて脂肪厚評価値を決定する脂肪厚評価手順と、をさらに備え、
前記出力手順は、少なくとも前記運動力評価値、前記筋厚評価値及び前記脂肪厚評価値に基づいて運動処方を示す処方情報を出力する、
ことを特徴とする請求項２７に記載の運動処方方法。
【請求項２９】
前記被験者の性別の入力を受け付ける性別受付手順をさらに備え、
前記筋厚評価手順は、前記性別受付手順で受け付けた性別に応じて、前記筋厚受付手順で受け付けた筋厚に対して決定する筋厚評価値の一部または全部を異ならせる、
ことを特徴とする請求項２７又は２８に記載の運動処方方法。
【請求項３０】
前記被験者の年齢区分の入力を受け付ける年齢区分受付手順をさらに備え、
前記筋厚評価手順は、前記年齢区分受付手順で入力された年齢区分に応じて、前記筋厚受付手順で受け付けた筋厚に対して決定する筋厚評価値の一部または全部を異ならせる、
ことを特徴とする請求項２７から２９のいずれか一項に記載の運動処方方法。
【請求項３１】
前記被験者の身長の入力を受け付ける身長受付手順をさらに備え、
前記筋厚評価手順は、前記身長受付手順で受け付けた身長に応じて、前記筋厚受付手順で受け付けた筋厚に対して決定する筋厚評価値の一部または全部を異ならせる、
ことを特徴とする請求項２７から３０のいずれか一項に記載の運動処方方法。
【請求項３２】
前記被験者の体重を受け付ける体重受付手順をさらに備え、
前記筋厚評価手順は、前記体重受付手順で受け付けた体重に応じて、前記筋厚受付手順で受け付けた筋厚に対して決定する筋厚評価値の一部または全部を異ならせる、
ことを特徴とする請求項２７から３１のいずれか一項に記載の運動処方方法。
【請求項３３】
前記被験者が所望する運動内容の入力を受け付ける運動内容受付手順をさらに備え、
前記出力手順は、前記運動内容受付手順で受け付けた運動内容に基づいて前記処方情報を出力する、
ことを特徴とする請求項２７から３２のいずれか一項に記載の運動処方方法。
【請求項３４】
前記筋厚評価値、前記運動力評価値、前記処方情報、及び処方日を対応づけて記憶する記憶手順と、
過去の処方の閲覧指示を受け付ける閲覧受付手順と、
前記閲覧受付手順で閲覧指示を受け付けると、前記筋厚評価値、前記運動力評価値、及び前記処方情報を前記処方日ごとに区分けした閲覧情報を出力する閲覧情報出力手順とを備えた、
ことを特徴とする請求項２７から３３のいずれか一項に記載の運動処方方法。
【発明の詳細な説明】
【技術分野】
【０００１】
本発明は、運動処方装置、運動処方方法、及びプログラムに関する。
【背景技術】
【０００２】
下肢にある大腿四頭筋は、被験者の体重を支え、歩行などの日常生活やスポーツにおいて、重要な筋肉である。大腿四頭筋の能力を客観的な評価指標として、体重支持指数ＷＢＩ(Weight Bearing Index)を用いることがある。そのような下肢筋力を測定する装置として、椅子に座った被検者の膝伸展筋力を測定し、体重あたりのその膝伸展筋力を下肢筋力として測定するものが知られている（特許文献１）。さらに、被験者に運動をさせ、その運動能力に基づいてトレーニングメニューを作成する装置も知られている（特許文献２）。
【先行技術文献】
【特許文献】
【０００３】
【特許文献１】特許第２８７３５９２号公報
【特許文献２】特開２００８−３８３２８０号公報
【発明の概要】
【発明が解決しようとする課題】
【０００４】
ところで、大腿四頭筋の筋厚は筋肉量と相関があり、筋力を発揮する要素であり、体重支持指数ＷＢＩとある程度の相関があるが、被験者によっては、必ずしも大腿四頭筋の筋厚が厚いからといって、体重支持指数ＷＢＩの数値が大きいと限らない場合もある。これは、筋力の発揮には神経系の働きが大きく関与するからである。例えば、同じ陸上競技でも短距離の選手はダッシュ動作のトレーニングを繰り返す一方、長距離の選手は持久力を向上させるトレーニングが中心となる。このため、同じ筋厚に対する筋力発揮は短距離の選手の方が高くなる傾向がある。神経系の働きによる相関のずれは、スポーツ選手に限らず、一般人にも当てはまる。
したがって、筋厚と運動能力との一方に基づいて、運動メニューを処方するには、筋力の向上や健康の増進にとって、不十分であるといった問題があった。
本発明は、上述した事情に鑑みてなされたものであり、被験者により適切な運動処方を提示する運動処方装置、運動処方方法、及びプログラムを提供することを解決課題とする。
【課題を解決するための手段】
【０００５】
以下では、本発明の理解を容易にするために添付図面の参照符号を便宜的に括弧書きにて付記するが、それにより本発明が図示の態様に限定されるものではない。
【０００６】
本発明の一態様は、被験者の身体能力測定に基づく身体能力評価値を取得する身体能力取得部（２１０）と、少なくとも前記身体能力評価値に基づいて運動処方を示す処方情報を出力する処方情報出力部（１６０）と、を備えたことを特徴とする運動処方装置（１Ａ〜１Ｈ）である。
【０００７】
また、本発明の一態様は、上記の運動処方装置が、前記被験者に対する問診結果を受け付ける問診結果受付部（２４０）、を備え、前記処方情報出力部が、少なくとも前記身体能力評価値及び前記問診結果に基づいて前記処方情報を出力する、ことを特徴とする。
【０００８】
また、本発明の一態様は、上記の運動処方装置において、前記身体能力取得部が、前記被験者の運動力測定に基づく運動力評価値の入力を受け付ける運動力受付部（１３０）を備え、前記処方情報出力部が、少なくとも前記運動力評価値を前記身体能力評価値として、前記処方情報を出力する、ことを特徴とする。
【０００９】
また、本発明の一態様は、上記の運動処方装置において、前記身体能力取得部が、前記被験者の所定の身体部位における体組成に基づく体組成情報の入力を受け付ける体組成情報受付部（２２０）と、前記体組成情報受付部で受け付けた体組成情報に基づいて体組成評価値を決定する体組成評価部（２３０）と、を備え、前記処方情報出力部が、少なくとも前記体組成評価値を前記身体能力評価値として、前記処方情報を出力する、ことを特徴とする。
【００１０】
また、本発明の一態様は、上記の運動処方装置において、前記身体能力取得部が、前記被験者の所定の身体部位における体組成に基づく体組成情報の入力を受け付ける体組成情報受付部と、前記体組成情報受付部で受け付けた体組成情報に基づいて体組成評価値を決定する体組成評価部と、を備え、前記処方情報出力部が、少なくとも前記運動力評価値及び前記体組成評価値を前記身体能力評価値として、前記処方情報を出力する、ことを特徴とする。
【００１１】
また、本発明の一態様は、上記の運動処方装置において、前記体組成情報受付部が、前記被験者の所定の身体部位における筋厚の入力を受け付ける筋厚受付部（１１０）を備え、前記体組成評価部が、前記筋厚受付部で受け付けた筋厚に基づいて筋厚評価値を決定する筋厚評価部（１２０）を備え、前記処方情報出力部が、少なくとも前記筋厚評価値を前記体組成評価値として、前記処方情報を出力する、ことを特徴とする。
【００１２】
また、本発明の一態様は、上記の運動処方装置において、前記体組成情報受付部が、前記被験者の前記所定の身体部位における脂肪厚の入力を受け付ける脂肪厚受付部（１４０）を備え、前記体組成評価部が、前記脂肪厚受付部で受け付けた脂肪厚に基づいて脂肪厚評価値を決定する脂肪厚評価部（１５０）を備え、前記処方情報出力部が、少なくとも前記脂肪厚評価値を前記体組成評価値として、前記処方情報を出力する、ことを特徴とする。
【００１３】
また、本発明の一態様は、上記の運動処方装置において、前記体組成情報受付部が、前記被験者の前記所定の身体部位における脂肪厚の入力を受け付ける脂肪厚受付部を備え、前記体組成評価部が、前記脂肪厚受付部で受け付けた脂肪厚に基づいて脂肪厚評価値を決定する脂肪厚評価部を備え、前記処方情報出力部が、少なくとも前記筋厚評価値及び前記脂肪厚評価値を前記体組成評価値として、前記処方情報を出力する、ことを特徴とする。
【００１４】
また、本発明の一態様は、上記の運動処方装置において、前記問診結果受付部が、前記問診結果として、前記被験者の運動目標の入力を受け付ける運動目標受付部（２４１）、を備え、前記処方情報出力部は、前記運動目標受付部で受け付けた運動目標に基づいて前記処方情報を出力する、ことを特徴とする。
【００１５】
また、本発明の一態様は、上記の運動処方装置において、前記運動目標受付部が、予め設定された複数の運動目標のうちの少なくともいずれかに対応する問診項目を複数提示するとともに、当該問診項目に対する前記問診結果に基づいて、当該複数の運動目標の中から所定の運動目標を、入力されるべき運動目標として提示する、ことを特徴とする。
【００１６】
また、本発明の一態様は、上記の運動処方装置において、前記問診結果受付部が、前記問診結果として、前記被験者が所望する運動内容の入力を受け付ける運動内容受付部（２４２）を備え、前記処方情報出力部が、前記運動内容受付部で受け付けた運動内容に基づいて前記処方情報を出力する、ことを特徴とする。
【００１７】
また、本発明の一態様は、上記の運動処方装置において、前記運動内容受付部が、前記被験者が所望する運動内容として選択可能な複数の運動方法を提示するとともに、当該提示した複数の運動方法のうち、受け付けた運動方法が所定の運動方法である場合には、運動を行う身体部位を選択可能に提示する、ことを特徴とする。
【００１８】
また、本発明の一態様は、上記の運動処方装置において、前記運動を行う身体部位が選択可能に提示される運動方法の一部又は全部が、運動を行う処方回数の設定が可能であって、前記運動内容受付部が、前記被験者が所望する運動内容として受け付けた運動方法が前記運動を行う処方回数を設定可能な運動方法である場合には、前記運動を行う処方回数に対応する運動効果を示す情報を選択可能に提示する、ことを特徴とする。
【００１９】
また、本発明の一態様は、上記の運動処方装置が、前記身体能力評価値、前記処方情報、及び処方日を対応づけて記憶する記憶部（ＴＢＬ１４）と、過去の処方の閲覧指示を受け付ける閲覧受付部（１７０）と、前記閲覧受付部で閲覧指示を受け付けると、前記記憶部の記憶内容を参照して前記身体能力評価値、及び前記処方情報を前記処方日ごとに区分けした閲覧情報を出力する閲覧情報出力部（１８０）と、を備えることを特徴とする。
【００２０】
また、本発明の一態様は、上記の運動処方装置が、被験者の端末装置と通信可能な通信部（１６）を備え、前記閲覧受付部は、前記通信部を用いて前記被験者の閲覧指示を受け付け、前記閲覧情報出力部は、前記通信部を用いて前記閲覧情報を前記被験者の端末装置（４００）に出力する、ことを特徴とする。
【００２１】
また、本発明の一態様は、被験者の身体能力測定に基づく身体能力評価値を取得する身体能力取得手順と、少なくとも前記身体能力評価値に基づいて運動処方を示す処方情報を出力する処方情報出力手順と、を備えたことを特徴とする運動処方方法である。
【００２２】
また、本発明の一態様は、コンピュータに、被験者の身体能力測定に基づく身体能力評価値を取得する身体能力取得手順と、少なくとも前記身体能力評価値に基づいて運動処方を示す処方情報を出力する処方情報出力手順と、を実行させるためのプログラムである。
【００２３】
また、本発明の一態様は、被験者の所定の身体部位における筋厚の入力を受け付ける筋厚受付部と、前記筋厚受付部で受け付けた筋厚に基づいて筋厚評価値を決定する筋厚評価部と、前記被験者の運動力測定に基づく運動力評価値の入力を受け付ける運動力受付部と、少なくとも前記運動力評価値及び前記筋厚評価値に基づいて運動処方を示す処方情報を出力する処方情報出力部と、を備えたことを特徴とする運動処方装置である。
【００２４】
また、本発明の一態様は、上記の運動処方装置が、前記被験者の前記所定の身体部位における脂肪厚の入力を受け付ける脂肪厚受付部と、前記脂肪厚受付部で受け付けた脂肪厚に基づいて脂肪厚評価値を決定する脂肪厚評価部と、をさらに備え、前記処方情報出力部は、少なくとも前記運動力評価値、前記筋厚評価値及び前記脂肪厚評価値に基づいて前記処方情報を出力する、ことを特徴とする。
【００２５】
また、本発明の一態様は、上記の運動処方装置が、前記被験者の性別の入力を受け付ける性別受付部（１１１）をさらに備え、前記筋厚評価部は、前記性別受付部で受け付けた性別に応じて、前記筋厚受付部で受け付けた筋厚に対して決定する筋厚評価値の一部または全部を異ならせることを特徴とする。
【００２６】
また、本発明の一態様は、上記の運動処方装置が、前記被験者の年齢区分を取得する年齢区分取得部（１１２）をさらに備え、前記筋厚評価部は、前記年齢区分取得部で取得した年齢区分に応じて、前記筋厚受付部で受け付けた筋厚に対して決定する筋厚評価値の一部または全部を異ならせることを特徴とする。
【００２７】
また、本発明の一態様は、上記の運動処方装置が、前記被験者の身長の入力を受け付ける身長受付部（１１３）をさらに備え、前記筋厚評価部は、前記身長受付部で受け付けた身長に応じて、前記筋厚受付部で受け付けた筋厚に対して決定する筋厚評価値の一部または全部を異ならせる、ことを特徴とする。
【００２８】
また、本発明の一態様は、上記の運動処方装置が、前記被験者の体重を受け付ける体重受付部（１１４）をさらに備え、前記筋厚評価部は、前記体重受付部で受け付けた体重に応じて、前記筋厚受付部で受け付けた筋厚に対して決定する筋厚評価値の一部または全部を異ならせる、ことを特徴とする。
【００２９】
また、本発明の一態様は、上記の運動処方装置が、前記被験者が所望する運動内容の入力を受け付ける運動内容受付部をさらに備え、前記処方情報出力部は、前記運動内容受付部で受け付けた運動内容に基づいて前記処方情報を出力する、ことを特徴とする。
【００３０】
また、本発明の一態様は、上記の運動処方装置が、前記筋厚評価値、前記運動力評価値、前記処方情報、及び処方日を対応づけて記憶する記憶部と、過去の処方の閲覧指示を受け付ける閲覧受付部と、前記閲覧受付部で閲覧指示を受け付けると、前記記憶部の記憶内容を参照して前記筋厚評価値、前記運動力評価値、及び前記処方情報を前記処方日ごとに区分けした閲覧情報を出力する閲覧情報出力部とを備えた、ことを特徴とする。
【００３１】
また、本発明の一態様は、上記の運動処方装置が、被験者の端末装置と通信可能な通信部を備え、前記閲覧受付部は、前記通信部を用いて前記被験者の閲覧指示を受け付け、前記閲覧情報出力部は、前記通信部を用いて前記閲覧情報を前記被験者の端末装置に出力する、ことを特徴とする。
【００３２】
また、本発明の一態様は、被験者の所定の身体部位における筋厚の入力を受け付ける筋厚受付手順と、前記筋厚受付手順で受け付けた筋厚に基づいて筋厚評価値を決定する筋厚評価手順と、前記被験者の運動力測定に基づく運動力評価値の入力を受け付ける運動力受付手順と、少なくとも前記運動力評価値及び前記筋厚評価値に基づいて運動処方を示す処方情報を出力する出力手順と、を備えたことを特徴とする運動処方方法である。
【００３３】
また、本発明の一態様は、上記の運動処方方法が、前記被験者の前記所定の身体部位における脂肪厚の入力を受け付ける脂肪厚受付手順と、前記脂肪厚受付手順で受け付けた脂肪厚に基づいて脂肪厚評価値を決定する脂肪厚評価手順と、をさらに備え、前記出力手順が、少なくとも前記運動力評価値、前記筋厚評価値及び前記脂肪厚評価値に基づいて運動処方を示す処方情報を出力する、ことを特徴とする。
【００３４】
また、本発明の一態様は、上記の運動処方方法が、前記被験者の性別の入力を受け付ける性別受付手順をさらに備え、前記筋厚評価手順は、前記性別受付手順で受け付けた性別に応じて、前記筋厚受付手順で受け付けた筋厚に対して決定する筋厚評価値の一部または全部を異ならせる、ことを特徴とする。
【００３５】
また、本発明の一態様は、上記の運動処方方法が、前記被験者の年齢区分の入力を受け付ける年齢区分受付手順をさらに備え、前記筋厚評価手順が、前記年齢区分受付手順で入力された年齢区分に応じて、前記筋厚受付手順で受け付けた筋厚に対して決定する筋厚評価値の一部または全部を異ならせる、ことを特徴とする。
【００３６】
また、本発明の一態様は、上記の運動処方方法が、前記被験者の身長の入力を受け付ける身長受付手順をさらに備え、前記筋厚評価手順が、前記身長受付手順で受け付けた身長に応じて、前記筋厚受付手順で受け付けた筋厚に対して決定する筋厚評価値の一部または全部を異ならせる、ことを特徴とする。
【００３７】
また、本発明の一態様は、上記の運動処方方法が、前記被験者の体重を受け付ける体重受付手順をさらに備え、前記筋厚評価手順が、前記体重受付手順で受け付けた体重に応じて、前記筋厚受付手順で受け付けた筋厚に対して決定する筋厚評価値の一部または全部を異ならせる、ことを特徴とする。
【００３８】
また、本発明の一態様は、上記の運動処方方法が、前記被験者が所望する運動内容の入力を受け付ける運動内容受付手順をさらに備え、前記出力手順が、前記運動内容受付手順で受け付けた運動内容に基づいて前記処方情報を出力する、ことを特徴とする。
【００３９】
また、本発明の一態様は、上記の運動処方方法が、前記筋厚評価値、前記運動力評価値、前記処方情報、及び処方日を対応づけて記憶する記憶手順と、過去の処方の閲覧指示を受け付ける閲覧受付手順と、前記閲覧受付手順で閲覧指示を受け付けると、前記筋厚評価値、前記運動力評価値、及び前記処方情報を前記処方日ごとに区分けした閲覧情報を出力する閲覧情報出力手順とを備えた、ことを特徴とする。
【発明の効果】
【００４０】
以上説明したように、本発明によれば、被験者に適切な運動処方を提示することができる。
【図面の簡単な説明】
【００４１】
【図１】本発明の第１実施形態に係る運動処方システムのブロック図である。
【図２】第１実施形態の運動処方装置の機能構成を示す機能ブロック図である。
【図３】運動力評価値の評価基準を示す説明図である。
【図４】処方テーブルのデータ構造の一例を示す説明図である。
【図５】第２実施形態の運動処方装置の機能構成を示す機能ブロック図である。
【図６】第３実施形態の運動処方装置の機能構成を示す機能ブロック図である。
【図７】第４実施形態の運動処方装置の機能構成を示す機能ブロック図である。
【図８】第５実施形態の運動処方装置の機能構成を示す機能ブロック図である。
【図９】第６実施形態に係る運動処方システムのブロック図である。
【図１０】第６実施形態の運動処方装置の機能構成を示す機能ブロック図である。
【図１１】第６実施形態の処方テーブルのデータ構造の一例を示す説明図である。
【図１２】第６実施形態の運動処方装置が処方情報を生成する処理の流れを示す説明図である。
【図１３】図１２に示す説明図の詳細を示す第１図である。
【図１４】図１２に示す説明図の詳細を示す第２図である。
【図１５】第６実施形態の運動処方装置の機能構成の変形例を示す機能ブロック図である。
【図１６】本発明の第７実施形態に係る体力判定システムのブロック図である。
【図１７】第７実施形態の体力判定装置の機能構成を示す機能ブロック図である。
【図１８】判定テーブルのデータ構造の第１例を示す説明図である。
【図１９】判定テーブルのデータ構造の第２例を示す説明図である。
【図２０】第８実施形態の体力判定装置の機能構成を示す機能ブロック図である。
【図２１】第９実施形態の体力判定装置の機能構成を示す機能ブロック図である。
【図２２】第１０実施形態の体力判定装置の機能構成を示す機能ブロック図である。
【図２３】第１１実施形態の体力判定装置の機能構成を示す機能ブロック図である。
【図２４】第１２実施形態の体力判定装置の機能構成を示す機能ブロック図である。
【図２５】変形例に係る運動処方システムの構成を示すブロック図である。
【図２６】変形例に係る体力判定システムの構成を示すブロック図である。
【発明を実施するための形態】
【００４２】
まず、以下に説明する本発明の第１から第６実施形態に関する背景技術及び課題について説明する。
（背景技術）
下肢にある大腿四頭筋は、被験者の体重を支え、歩行などの日常生活やスポーツにおいて、重要な筋肉である。大腿四頭筋の能力を客観的な評価指標として、体重支持指数ＷＢＩ(Weight Bearing Index)を用いることがある。そのような下肢筋力を測定する装置として、椅子に座った被検者の膝伸展筋力を測定し、体重あたりのその膝伸展筋力を下肢筋力として測定するものが知られている（例えば、特許第２８７３５９２号公報参照）。さらに、被験者に運動をさせ、その運動能力に基づいてトレーニングメニューを作成する装置も知られている（例えば、特開２００８−３８３２８０号公報参照）。
【００４３】
（課題）
ところで、大腿四頭筋の筋厚は筋肉量と相関があり、筋力を発揮する要素であり、体重支持指数ＷＢＩとある程度の相関があるが、被験者によっては、必ずしも大腿四頭筋の筋厚が厚いからといって、体重支持指数ＷＢＩの数値が大きいと限らない場合もある。これは、筋力の発揮には神経系の働きが大きく関与するからである。例えば、同じ陸上競技でも短距離の選手はダッシュ動作のトレーニングを繰り返す一方、長距離の選手は持久力を向上させるトレーニングが中心となる。このため、同じ筋厚に対する筋力発揮は短距離の選手の方が高くなる傾向がある。神経系の働きによる相関のずれは、スポーツ選手に限らず、一般人にも当てはまる。
したがって、筋厚と運動能力との一方に基づいて、運動メニューを処方するには、筋力の向上や健康の増進にとって、不十分であるといった問題があった。
本発明は、上述した事情に鑑みてなされたものであり、被験者により適切な運動処方を提示することを解決課題とする。
【００４４】
以下、実施形態として、本発明に係る運動処方装置を用いた運動処方システムについて、図面を参照しつつ説明する。
＜１．第１実施形態＞
図１は、本発明の第１実施形態に係る運動処方システム１００のブロック図である。この運動処方システム１００は、運動処方装置１Ａと超音波測定装置２とを備える。運動処方システム１００は、例えば、スポーツジムなどで被験者に適した運動メニューをアドバイスする場合に用いられる。
【００４５】
運動処方装置１Ａは、装置全体を制御するＣＰＵ（Central Processing Unit）１０、ＣＰＵ１０の作業領域として機能するＲＡＭ（Random Access Memory）１１、ブートプログラムなどを記憶したＲＯＭ（Read Only Memory）１２、各種のプログラムやデータを記憶するハードディスク１３、キーボードやマウスなどを含む入力部１４、画像を表示するディスプレイ１５、通信網を介して外部の装置と通信を行う通信インターフェース１６、コンパクトディスクなどの情報記録媒体を読み取る読取装置１７、及び外部装置とデータの授受を行うインターフェース１８を備える。
【００４６】
運動処方装置１Ａは、インターフェース１８を介して超音波測定装置２と接続されている。超音波測定装置２は、被験者の身体部位に装置を密着させることにより、身体部位の内部のエコー画像を示す画像データを出力する。エコー画像は、脂肪、筋肉、骨といった要素を色分けして表示する。運動処方装置１Ａは、超音波測定装置２で測定された身体部位の内部組織の画像データと取り込んで、ディスプレイ１５で表示するようになっている。この測定では、大腿部に超音波測定装置２を密着させることによって、皮下脂肪、大腿四頭筋、及び骨格などの内部組織を表す組織画像データが得られる。
スポーツジムのインストラクターは、ディスプレイ１５に表示される内部組織の画像を見ながら、入力部１４を用いて筋厚及び皮下脂肪厚を入力する。なお、画像処理ソフトを用いて筋厚及び皮下脂肪厚を自動的に入力するようにしてもよい。
【００４７】
ハードディスク１３には、運動処方プログラムＰ、筋厚評価テーブルＴＢＬ１１ａ、脂肪厚評価テーブルＴＢＬ１２、処方テーブルＴＢＬ１３及び履歴テーブルＴＢＬ１４が記憶されている。本実施形態では、筋厚を５段階で評価し筋厚評価値ＭＤを生成する。筋厚評価テーブルＴＢＬ１１ａは、筋厚のグレーディングする基準となる閾値を記憶している。脂肪厚評価テーブルＴＢＬ１２は、脂肪厚のグレーディングする基準となる閾値を記憶している。また、処方テーブルＴＢＬ１３は、各種の評価値と運動メニューを示す処方情報とを対応付けて記憶している。さらに、履歴テーブルＴＢＬ１４は、筋厚評価値ＭＤ、運動力評価値ＥＤ、処方情報ＩＮＦ及び処方日を、被験者を識別する識別情報と対応づけて記憶している。
【００４８】
図２に運動処方装置１Ａの構成を示す。ＣＰＵ１０が運動処方プログラムＰを実行することによって実現する運動処方装置１Ａの機能ブロックについて、図２を参照しつつ説明する。
運動処方装置１Ａは、入力部１４によって入力される筋厚を受け付ける筋厚受付部１１０と、筋厚受付部１１０で受け付けた筋厚を評価して筋厚評価値ＭＤを生成する筋厚評価部１２０とを備える。この例の筋厚評価部１２０は、筋厚評価テーブルＴＢＬ１１ａから読み出した閾値と筋厚とを比較して、筋厚評価値ＭＤを生成し、処方情報出力部１６０に供給する。
【００４９】
運動力受付部１３０は、入力部１４によって入力される運動力評価値ＥＤを受け付けて処方情報出力部１６０に供給する。ここで、運動力評価値ＥＤについて説明する。運動力評価値ＥＤは、運動力を評価した指標である。運動力の評価には各種の方法があるが、この例では、体重支持指数ＷＢＩに基づく評価を採用する。体重支持指数ＷＢＩでは、ＷＢＩ≧１.２以上で競技スポーツの選手やトップクラスのスポーツ選手レベル（運動力評価値ＥＤ＝６）、ＷＢＩ＝１.０〜１.２で健康不安がほとんどなくなり、あらゆる活動に積極的に参加できるレベル（運動力評価値ＥＤ＝５）、ＷＢＩ＝０.８〜１.０で家庭生活を越えて、生活活動やレクリエーションスポーツをこなせるレベル（運動力評価値ＥＤ＝４）、ＷＢＩ＝０.６〜０.８で立ったり、座ったり、軽く走ったり、階段を上り下りすることに支障はないレベル（運動力評価値ＥＤ＝３）、ＷＢＩ＝０.４〜０.６で歩くことはできるが日常生活動作が困難で痛みを伴うレベル（運動力評価値ＥＤ＝２）、ＷＢＩ＜０.４で平地歩行が出来る最低限の筋力レベル（運動力評価値ＥＤ＝１）といったように６段階で評価される。
【００５０】
本実施形態では、体重支持指数ＷＢＩに基づく運動力を立ち上がり動作により判定する。具体的には、被験者がどの程度の高さの台に座った状態から、片脚又は両脚で立ち上がれることができるかにによって判定する。図３に運動力評価値ＥＤの評価基準を示す。この例では、身長１７０ｃｍ以上か未満かで台の高さを異ならせてある。例えば、身長１７２ｃｍの被験者が片脚で高さ２５ｃｍの台から立ち上がることができるが、高さ１５ｃｍの台から立ち上がることができない場合には、運動力評価値ＥＤは「５」となる。インストラクターは、被験者の立ち上がり動作から、運動力評価値ＥＤを特定し、入力部１４を用いて運動力評価値ＥＤを入力する。
【００５１】
説明を図２に戻す。運動処方装置１Ａは、さらに、入力部１４によって入力される脂肪厚を受け付ける脂肪厚受付部１４０と、脂肪厚受付部１４０で受け付けた脂肪厚を評価して脂肪厚評価値ＦＤを生成する脂肪厚評価部１５０とを備える。この例の脂肪厚評価部１５０は、脂肪厚評価テーブルＴＢＬ１２から読み出した閾値と脂肪厚とを比較して、脂肪厚評価値ＦＤを生成し、処方情報出力部１６０に供給する。この例では、脂肪厚評価値ＦＤは、３段階にグレーディングされ、脂肪厚評価値ＦＤ＝３で薄い、脂肪厚評価値ＦＤ＝２で標準、脂肪厚評価値ＦＤ＝１で厚いといった評価となる。
【００５２】
次に、処方情報出力部１６０は、処方テーブルＴＢＬ１３を参照して、筋厚評価値ＭＤ、運動力評価値ＥＤ、及び脂肪厚評価値ＦＤに基づいて、処方情報ＩＮＦを生成し、これをディスプレイ１５に表示させる。
【００５３】
図４に処方テーブルＴＢＬ１３のデータ構造を示す。この図に示すように処方テーブルＴＢＬ１３は、脂肪厚評価値ＦＤ＝１に対応する第１処方テーブルＴＢＬ１３ａ、脂肪厚評価値ＦＤ＝２に対応する第２処方テーブルＴＢＬ１３ｂ、及び脂肪厚評価値ＦＤ＝３に対応する第３処方テーブルＴＢＬ１３ｃを含む。
また、第１乃至第３処方テーブルＴＢＬ１３ａ乃至ＴＢＬ１３ｂの各々は、６段階の運動力評価値ＥＤと５段階の筋厚評価値ＭＤとに対応づけられた３０個の処方情報ＩＮＦ１１〜ＩＮＦ６５を記憶している。
処方情報出力部１６０は、脂肪厚評価値ＦＤに基づいて第１乃至第３処方テーブルＴＢＬ１３ａ乃至ＴＢＬ１３ｂの一つを特定し、さらに、特定したテーブルを参照して、筋厚評価値ＭＤ及び運動力評価値ＥＤに対応する処方情報ＩＮＦを読み出す。これにより、処方情報出力部１６０は、９０通りの処方情報ＩＮＦを生成することが可能となる。
【００５４】
例えば、運動力評価値ＥＤ＝４、筋厚評価値ＭＤ＝３、脂肪厚評価値ＦＤ＝１の場合、処方情報出力部１６０は、第１処方テーブルＴＢＬ１３ａを参照して、処方情報ＩＮＦ４３を読み出す。処方情報ＩＮＦ４３は、「日常生活にはまったく問題なくリクリエーションやスポーツを行える身体のコンディションです。但し積極的に運動に取り組むにはやや筋力が不足しています。ストレッチングをしっかり行い 疲労の軽減に注意してみましょう。ウォーキングやゆっくりとしたジョギング（６km／h）などから始めるのがオススメです。エアロビクスならジャンプしない動作が中心のローインパクトクラスから始めましょう。太腿の筋肉量は標準ですが ４０代から急激に衰えていきます。是非エクササイズを始めましょう。レッグエクステンション ×１０回 ×３セットです。体脂肪がやや多いので ダイエットか有酸素運動に取り組んでみましょう。体脂肪を減少させることで より身体を軽くすることが出来ます。」といったテキストで構成される。
【００５５】
説明を図２に戻す。閲覧受付部１７０は、入力部１４によって入力される閲覧指示を受け付けて閲覧情報出力部１８０に供給する。この閲覧指示には、被験者を識別する識別情報が含まれている。履歴テーブルＴＢＬ１４には、処方情報出力部１６０が、処方情報ＩＮＦを出力する度に、筋厚評価値ＭＤ、運動力評価値ＥＤ、処方情報ＩＮＦ及び処方日が、被験者の識別情報と対応づけて記憶されている。閲覧情報出力部１８０は、閲覧受付部１７０が閲覧指示を受け付けると、履歴テーブルＴＢＬ１４から、識別情報に対応する筋厚評価値ＭＤ、運動力評価値ＥＤ、処方情報ＩＮＦ及び処方日を読み出して閲覧情報Ｘとして、ディスプレイ１５に出力する。これにより、被験者は、過去の処方情報ＩＮＦなどを知ることができ、運動処方の効果を確認することができる。
【００５６】
このように本実施形態では、運動力評価値ＥＤだけでなく、筋厚評価値ＭＤや脂肪厚評価値ＦＤを加味して処方情報ＩＮＦを生成したので、きめ細かくより適切な運動処方を被験者に提供することができる。
【００５７】
処方情報ＩＮＦを選択する要素として運動力評価値ＥＤを採用することによって、若年層やアスリートに対しては、ほとんどの身体活動の主動筋が下肢であり、ほぼ全てのスポーツ、動きに体重の支持、重心の移動、膝関節の固定に下肢の筋力、機能は重要な役割を占めるので、運動について適切なアドバイスを与えることが可能となる。また、高齢者に対しては、社会的にみた生活の質（QOL:Quality of Life）の向上、介護予防のために運動が重要視されているところ、ロコモティブシンドロームの予防にも歩行、階段昇降、立ち上がりなどの日常生活動作に必要な荷重運動の主動筋である大腿四頭筋の維持・向上が求められており、運動について被験者に適切なアドバイスを与えることが可能となる。
【００５８】
また、筋厚評価値ＭＤや脂肪厚評価値ＦＤと運動力評価値ＥＤを組み合わせて処方情報ＩＮＦを生成することによって、以下の利点がある。
運動力評価値ＥＤが、低い場合には、通常、適度な運動を処方することになるが、筋厚が薄く筋厚評価値ＭＤが低く筋力や筋量が不足している状態と、皮下脂肪厚が厚く脂肪厚評価値ＦＤが低く過体重や肥満である状態が考えられる。筋力の向上の運動処方と脂肪を減らすための運動処方とは必ずしも一致しない。本実施形態によれば、運動力評価値ＥＤと筋厚評価値ＭＤ及び脂肪厚評価値ＦＤとを組み合わせることにより、運動力評価値ＥＤが低い原因を特定し、特定した原因に応じた運動処方を提示することができる。これにより、効果的な運動メニューを被験者に提示することが可能となる。
【００５９】
さらに、加齢に伴う筋力の低下や老化に伴う筋肉量の減少（サルコペニア）は、老年医学の大きなテーマとなりつつあり、筋肉量が減少すると血糖値が増加し、糖尿病を初めとした疾患のリスクが高くなることも知られている。したがって、筋厚評価値ＭＤは、高齢者の日常生活動作の低下や易転倒性を示す指標となり得る。運動力評価値ＥＤは立ち上がりテストの結果によって定められるので、筋厚評価値ＭＤと運動力評価値ＥＤとを組み合わせることにより、日常生活動作の低下や転倒予防について、より具体的に被験者の状態を特定することができる。よって、きめ細かく特定した被験者の状態に応じた運動処方を提示することができる。
【００６０】
＜２．第２実施形態＞
第２実施形態の運動処方装置１Ｂについて説明する。運動処方装置１Ｂは、筋厚評価値ＭＤを生成する際に、被験者の性別を考慮する点を除いて、第１実施形態の運動処方装置１Ａと同様に構成されている。
図５に、ＣＰＵ１０が運動処方プログラムＰを実行することによって実現する運動処方装置１Ｂの機能ブロックを示す。図５に示す運動処方装置１Ｂは、性別受付部１１１を追加した点及び筋厚評価テーブルＴＢＬ１１ａの替わりに筋厚評価テーブルＴＢＬ１１ｂを用いる点を除いて、図２に示す第１実施形態の運動処方装置１Ａと同様に構成されている。
【００６１】
性別受付部１１１は、入力部１４によって入力される性別を受け付けて筋厚評価部１２０に出力する。筋厚評価部１２０は、筋厚受付部１１０で受け付けた筋厚と性別受付部１１１で受け付けた性別に基づいて、筋厚評価値ＭＤを生成する。ここで、筋厚評価テーブルＴＢＬ１１ｂは、性別に対応づけて筋厚を評価する基準となる閾値を記憶している。したがって、同じ筋厚でも男性と女性とで、筋厚評価値ＭＤが相違することがある。男性と女性とでは、筋肉の性質が相違し、同じ筋厚でも出力される力が相違することがある。
【００６２】
第２実施形態では、性別を考慮して筋厚評価値ＭＤを生成するので、より細かく筋厚を評価でき、これに基づいて処方情報ＩＮＦを生成したので、性別を考慮したより適切な運動処方を被験者に提示することができる。
【００６３】
＜３．第３実施形態＞
第３実施形態の運動処方装置１Ｃについて説明する。運動処方装置１Ｃは、筋厚評価値ＭＤを生成する際に、被験者の性別のほかに年齢区分を考慮する点を除いて、第２実施形態の運動処方装置１Ｂと同様に構成されている。
図６に、ＣＰＵ１０が運動処方プログラムＰを実行することによって実現する運動処方装置１Ｃの機能ブロックを示す。図６に示す運動処方装置１Ｃは、年齢区分取得部１１２を追加した点及び筋厚評価テーブルＴＢＬ１１ｂの替わりに筋厚評価テーブルＴＢＬ１１ｃを用いる点を除いて、図５に示す第２実施形態の運動処方装置１Ｂと同様に構成されている。
【００６４】
年齢区分取得部１１２は、入力部１４によって入力される年齢区分を取得して筋厚評価部１２０に出力する。この例では、６５歳以上をシニアとし、６５歳未満を非シニアに区分する。なお、入力部１４で年齢そのものを入力し、年齢区分取得部１１２において、年齢区分の基準となる閾値を記憶したテーブルを参照して、入力された年齢から年齢区分を取得するようにしてもよい。
筋厚評価部１２０は、筋厚受付部１１０で受け付けた筋厚と性別受付部１１１で受け付けた性別と年齢区分取得部１１２で取得した年齢区分に基づいて、筋厚評価値ＭＤを生成する。ここで、筋厚評価テーブルＴＢＬ１１ｃは、性別及び年齢区分に対応づけて筋厚を評価する基準となる閾値を記憶している。したがって、同じ筋厚でも性別及び年齢区分が相違すれば筋厚評価値ＭＤが相違することがある。年齢区分を評価要素に加えたのは、年齢に応じて筋肉の性質が相違し、同じ筋厚でも出力される力が相違することがあるからである。また、年齢によって筋肉に作用する神経系の働きが異なることがあるからである。例えば、年齢区分がシニアの被験者は、年齢区分が非シニアの被験者と比較して、筋繊維組織が変化したり神経系の働きが低下しており、同じ筋厚でも出力される力が小さい傾向にある。
【００６５】
第３実施形態では、性別及び年齢区分を考慮して筋厚評価値ＭＤを生成するので、より細かく筋厚を評価でき、これに基づいて処方情報ＩＮＦを生成したので、性別及び年齢を考慮したより適切な運動処方を被験者に提示することができる。
【００６６】
＜４．第４実施形態＞
第４実施形態の運動処方装置１Ｄについて説明する。運動処方装置１Ｄは、筋厚評価値ＭＤを生成する際に、被験者の性別及び年齢区分の他に、身長及び体重を考慮する点を除いて、第３実施形態の運動処方装置１Ｃと同様に構成されている。
図７に、ＣＰＵ１０が運動処方プログラムＰを実行することによって実現する運動処方装置１Ｄの機能ブロックを示す。図７に示す運動処方装置１Ｄは、身長受付部１１３及び体重受付部１１４を追加した点及び筋厚評価テーブルＴＢＬ１１ｃの替わりに筋厚評価テーブルＴＢＬ１１ｄを用いる点を除いて、図６に示す第３実施形態の運動処方装置１Ｃと同様に構成されている。
【００６７】
身長受付部１１３は、入力部１４によって入力される被験者の身長を受け付けて筋厚評価部１２０に出力する。体重受付部１１４は、入力部１４によって入力される被験者の体重を受け付けて筋厚評価部１２０に出力する。筋厚評価部１２０は、筋厚受付部１１０で受け付けた筋厚、性別受付部１１１で受け付けた性別、年齢区分取得部１１２で取得した年齢区分、身長受付部１１３で受け付けた身長、及び体重受付部１１４で受け付けた体重に基づいて、筋厚評価値ＭＤを生成する。ここで、筋厚評価テーブルＴＢＬ１１ｄは、性別、年齢区分、体重及び身長に対応づけて筋厚を評価する基準となる閾値を記憶している。したがって、同じ筋厚でも性別、年齢区分、体重及び身長が相違すれば筋厚評価値ＭＤが相違することがある。体重及び身長を評価要素に加えたのは、体重及び身長に応じて筋肉の性質が相違し、同じ筋厚でも出力される力が相違することがあるからである。
【００６８】
第４実施形態では、体重及び身長を考慮して筋厚評価値ＭＤを生成するので、より細かく筋厚を評価でき、これに基づいて処方情報ＩＮＦを生成したので、体重及び身長を考慮したより適切な運動処方を被験者に提示することができる。なお、身長と体重のいずれか一方と、性別及び年齢区分とを組み合わせて、筋厚評価値ＭＤを生成してもよい。この場合には、筋厚評価テーブルに、体重及び身長のいずれか一方、性別、並びに年齢区分に対応づけて筋厚を評価する基準となる閾値を記憶し、これを参照して閾値を特定すればよい。
【００６９】
（第１から第４実施形態について）
ここで、第１から第４実施形態を用いて説明した態様について、以下に付記する。
【００７０】
本発明に係る運動処方装置は、被験者の所定の身体部位における筋厚の入力を受け付ける筋厚受付部（１１０）と、前記筋厚受付部で受け付けた筋厚に基づいて筋厚評価値を決定する筋厚評価部（１２０）と、前記被験者の運動力測定に基づく運動力評価値の入力を受け付ける運動力受付部（１３０）と、少なくとも前記運動力評価値及び前記筋厚評価値に基づいて運動処方を示す処方情報を出力する処方情報出力部（１８０）とを備える。
【００７１】
この発明によれば、運動力の源となる筋厚と実際の運動力とに基づいて、処方情報を出力するので、より適切な運動処方を被験者に提示することができる。例えば、筋厚評価値が高いにも拘わらず、運動力評価値が低い場合には、肥満による過体重により運動力が低減しているなどの原因が考えられ、そのような場合には、脂肪を低減するのにために適した運動処方を提示できるといった利点がある。
【００７２】
ここで、筋厚は超音波測定によって得られたものであることが好ましい。また、所定の身体部位は大腿部であり、大腿四頭筋の筋厚であることが好ましい。大腿四頭筋は、立ち上がる、歩く、走るといった人の基本動作を司る筋肉であり、身体能力の基準とするのに好適だからである。また、運動力測定は、被験者の運動力を測定するのであればいかなる測定法であってもよいが、筋力・筋機能を測定することが好ましく、例えば、ＷＢＩが該当する。
さらに、筋厚評価部は、筋厚を評価する基準となる閾値を記憶する筋厚評価テーブルを参照して、筋厚評価値を決定することが好ましい。処方情報出力部は、少なくとも運動力評価値及び筋厚評価値と処方情報とを対応づけて記憶した処方テーブルを参照して処方情報を出力することが好ましい。
また、処方テーブルは、運動力評価値及び筋厚評価値の他に生体の状態を示す生体情報と、処方情報とを対応づけて記憶し、処方情報出力部は、運動力評価値及び筋厚評価値の他に生体情報を加味して、処方情報を出力してもよい。
【００７３】
上述した運動処方装置において、前記被験者の前記所定の身体部位における脂肪厚の入力を受け付ける脂肪厚受付部（１４０）と、前記脂肪厚受付部で受け付けた脂肪厚に基づいて脂肪厚評価値を決定する脂肪厚評価部（１５０）と、をさらに備え、前記処方情報出力部は、少なくとも前記運動力評価値、前記筋厚評価値及び前記脂肪厚評価値に基づいて前記処方情報を出力する、ことが好ましい。
【００７４】
この発明によれば、脂肪厚評価値を考慮して運動処方を被験者に提示できるので、脂肪厚（皮下脂肪厚）が薄い場合には、筋力を向上させる運動処方を提示する一方、脂肪厚が厚い場合には、脂肪を減らす運動処方を提示できる。これにより、被験者の生体の状態に応じてより適切な運動処方を提示することが可能となる。
【００７５】
ここで、脂肪厚評価部は、脂肪厚を閾値と比較して脂肪厚評価値を生成してもよい。あるいは、脂肪厚と脂肪厚評価値とを対応づけて記憶した脂肪厚評価テーブルを参照して、脂肪厚評価値を決定することが好ましい。
処方情報出力部は、少なくとも前記運動力評価値、前記筋厚評価値及び前記脂肪厚評価値と処方情報とを対応づけて記憶した処方テーブルを参照して処方情報を出力することが好ましい。
【００７６】
上述した運動処方装置において、前記被験者の性別の入力を受け付ける性別受付部（１１１）をさらに備え、前記筋厚評価部は、前記性別受付部で受け付けた性別に応じて、前記筋厚受付部で受け付けた筋厚に対して決定する筋厚評価値の一部または全部を異ならせることが好ましい。
男性と女性とでは筋肉の性質や神経系の働きが異なる。このため、同じ筋厚でも運動力が相違する。この発明によれば、性別を考慮して筋厚評価値を生成するので、より適切な運動処方を被験者に提示することが可能となる。
【００７７】
筋厚評価部は、筋厚及び性別と筋厚評価値とを対応づけて記憶する筋厚評価テーブルを参照して、筋厚評価値を決定することが好ましい。あるいは、筋厚評価テーブルに性別に応じた閾値を記憶し、筋厚と閾値とを比較することによって、筋厚評価値を生成することができる。
【００７８】
上述した運動処方装置において、前記被験者の年齢区分を取得する年齢区分取得部（１１２）をさらに備え、前記筋厚評価部は、前記年齢区分取得部で受け付けた年齢区分に応じて、前記筋厚受付部で受け付けた筋厚に対して決定する筋厚評価値の一部または全部を異ならせることが好ましい。
年齢によって、筋肉に作用する神経系の働きや筋肉の効率が異なることから、同じ筋厚であっても年齢によって運動力が相違することがある。この発明によれば、年齢を考慮して筋厚評価値を生成するので、より適切な運動処方を被験者に提供することができる。
【００７９】
ここで、筋厚評価部は、筋厚及び年齢区分と筋厚評価値とを対応づけて記憶する筋厚評価テーブルを参照して、筋厚評価値を決定することが好ましい。また、筋厚評価部は、筋厚、性別及び年齢区分と筋厚評価値とを対応づけて記憶する筋厚評価テーブルを参照して、筋厚評価値を決定してもよい。
さらに、筋厚評価テーブルに、年齢区分と対応づけて閾値を記憶し、この閾値と筋厚を比較して筋厚評価値を生成してもよい。あるいは、筋厚評価テーブルに、閾値を年齢区分及び性別と対応づけて記憶し、筋厚評価部は、この閾値と筋厚を比較して筋厚評価値を生成してもよい。
【００８０】
上述した運動処方装置において、前記被験者の身長の入力を受け付ける身長受付部（１１３）をさらに備え、前記筋厚評価部は、前記身長受付部で受け付けた身長に応じて、前記筋厚受付部で受け付けた筋厚に対して決定する筋厚評価値の一部または全部を異ならせることが好ましい。
この発明によれば、身長を考慮して筋厚評価値を生成するので、より適切な運動処方を被験者に提供することができる。
ここで、筋厚評価部は、筋厚及び身長と筋厚評価値とを対応づけて記憶する筋厚評価テーブルを参照して、筋厚評価値を決定することが好ましい。あるいは、筋厚評価テーブルに、閾値を筋厚及び身長と対応づけて記憶し、筋厚評価部は、この閾値と筋厚を比較して筋厚評価値を生成してもよい。
【００８１】
上述した運動処方装置において、前記被験者の体重を受け付ける体重受付部（１１４）をさらに備え、前記筋厚評価部は、前記体重受付部で受け付けた体重に応じて、前記筋厚受付部で受け付けた筋厚に対して決定する筋厚評価値の一部または全部を異ならせることが好ましい。
この発明によれば、体重を考慮して筋厚評価値を生成するので、より適切な運動処方を被験者に提供することができる。ここで、筋厚評価部は、筋厚及び体重と筋厚評価値とを対応づけて記憶する筋厚評価テーブルを参照して、筋厚評価値を決定することが好ましい。あるいは、筋厚評価テーブルに、閾値を筋厚及び体重と対応づけて記憶し、筋厚評価部は、この閾値と筋厚を比較して筋厚評価値を生成してもよい。
【００８２】
上述した運動処方装置において、前記被験者が所望する運動内容の入力を受け付ける運動内容受付部をさらに備え、前記処方情報出力部は、前記運動内容受付部で受け付けた運動内容に基づいて前記処方情報を出力することが好ましい。
より具体的には、処方情報出力部は、少なくとも前記運動力評価値、及び前記筋厚評価値と運動内容ごとに分類された処方情報とを対応づけて記憶した処方テーブルを参照して処方情報を出力することが好ましい。また、処方情報出力部は、少なくとも前記運動力評価値、前記筋厚評価値及び前記脂肪厚評価値と運動内容ごとに分類された処方情報とを対応づけて記憶した処方テーブルを参照して処方情報を出力することが好ましい。
【００８３】
上述した運動処方装置において、前記筋厚評価値、前記運動力評価値、前記処方情報、及び処方日を対応づけて記憶する記憶部と、過去の処方の閲覧指示を受け付ける閲覧受付部と、前記閲覧受付部で閲覧指示を受け付けると、前記記憶部の記憶内容を参照して前記筋厚評価値、前記運動力評価値、及び前記処方情報を前記処方日ごとに区分けした閲覧情報を出力する閲覧情報出力部とを備えることが好ましい。
この発明によれば、過去の履歴を被験者に見せることができるので、運動処方による筋力の向上などを確認することが可能となる。
【００８４】
上述した運動処方装置において、被験者の端末装置と通信可能な通信部を備え、前記閲覧受付部は、前記通信部を用いて前記被験者の閲覧指示を受け付け、前記閲覧情報出力部は、前記通信部を用いて前記閲覧情報を前記被験者の端末装置に出力する、ことが好ましい。この発明によれば、被験者は端末装置を操作することによって、過去の履歴を知ることができる。
【００８５】
また、上述した運動処方装置の発明は運動処方方法の発明として捉えることができる。
即ち、被験者の所定の身体部位における筋厚の入力を受け付ける筋厚受付手順と、前記筋厚受付手順で受け付けた筋厚に基づいて筋厚評価値を決定する筋厚評価手順と、前記被験者の運動力測定に基づく運動力評価値の入力を受け付ける運動力受付手順と、少なくとも前記運動力評価値及び前記筋厚評価値に基づいて運動処方を示す処方情報を出力する出力手順と、を備える。
【００８６】
また、上述した運動処方方法において、前記被験者の前記所定の身体部位における脂肪厚の入力を受け付ける脂肪厚受付手順と、前記脂肪厚受付手順で受け付けた脂肪厚に基づいて脂肪厚評価値を決定する脂肪厚評価手順と、をさらに備え、前記出力手順は、少なくとも前記運動力評価値、前記筋厚評価値及び前記脂肪厚評価値に基づいて運動処方を示す処方情報を出力する手順を備える。また、上述した運動処方方法として、前記被験者の性別の入力を受け付ける性別受付手順をさらに備え、前記筋厚評価手順は、前記性別受付手順で受け付けた性別に応じて、前記筋厚受付手順で受け付けた筋厚に対して決定する筋厚評価値の一部または全部を異ならせることが好ましい。
【００８７】
また、上述した運動処方方法において、前記被験者の年齢区分の入力を受け付ける年齢区分受付手順をさらに備え、記筋厚評価手順は、前記年齢区分受付手順で入力された年齢区分に応じて、前記筋厚受付手順で受け付けた筋厚に対して決定する筋厚評価値の一部または全部を異ならせることが好ましい。
【００８８】
また、上述した運動処方方法において、前記被験者の身長の入力を受け付ける身長受付手順をさらに備え、前記筋厚評価手順は、前記身長受付手順で受け付けた身長に応じて、前記筋厚受付手順で受け付けた筋厚に対して決定する筋厚評価値の一部または全部を異ならせることが好ましい。
【００８９】
また、上述した運動処方方法において、前記被験者の体重を受け付ける体重受付手順をさらに備え、記筋厚評価手順は、前記体重受付手順で受け付けた体重に応じて、前記筋厚受付手順で受け付けた筋厚に対して決定する筋厚評価値の一部または全部を異ならせる、
ことが好ましい。
【００９０】
また、上述した運動処方方法において、前記被験者が所望する運動内容の入力を受け付ける運動内容受付手順をさらに備え、前記出力手順は、前記運動内容受付手順で受け付けた運動内容に基づいて前記処方情報を出力することが好ましい。
【００９１】
また、上述した運動処方方法において、前記筋厚評価値、前記運動力評価値、前記処方情報、及び処方日を対応づけて記憶する記憶手順と、過去の処方の閲覧指示を受け付ける閲覧受付手順と、前記閲覧受付手順で閲覧指示を受け付けると、前記筋厚評価値、前記運動力評価値、及び前記処方情報を前記処方日ごとに区分けした閲覧情報を出力する閲覧情報出力手順とを備えたことが好ましい。
【００９２】
＜５．第５実施形態＞
第５実施形態の運動処方装置１Ｅについて説明する。第５実施形態の運動処方装置１Ｅは、被験者の身体能力測定に基づく身体能力評価値に基づいて、処方情報ＩＮＦを生成する。ここで、身体能力評価値は、例えば運動力評価値ＥＤである。また、身体能力評価値は、例えば筋厚評価値ＭＤ又は脂肪厚評価値ＦＤ等の体組成評価値であってもよい。
【００９３】
図８に、ＣＰＵ１０が運動処方プログラムＰを実行することによって実現する運動処方装置１Ｅの機能ブロックを示す。この図８において、図２に示す各部に対応する構成には同じ符号を付けている。以下、図８を参照しつつ、運動処方装置１Ｅの機能ブロックについて説明する。
【００９４】
運動処方装置１Ｅは、被験者の身体能力測定に基づく身体能力評価値の入力を取得する身体能力取得部２１０を備えている。身体能力取得部２１０は、運動力受付部１３０を備えており、入力部１４によって入力される運動力評価値ＥＤを受け付けて処方情報出力部１６０に供給する。また、身体能力取得部２１０は、被験者の所定の身体部位における体組成に基づく体組成情報の入力を受け付ける体組成情報受付部２２０と、体組成情報受付部２２０で受け付けた体組成情報に基づいて体組成評価値を決定する体組成評価部２３０とを備えている。
【００９５】
具体的には、体組成情報受付部２２０は、筋厚受付部１１０と、脂肪厚受付部１４０とを備えており、入力部１４によって入力される筋厚と脂肪厚とをそれぞれ受け付ける。また、体組成評価部２３０は、筋厚評価部１２０と、脂肪厚評価部１５０とを備えており、筋厚受付部１１０で受け付けた筋厚と、脂肪厚受付部１４０で受け付けた脂肪厚とに基づいて、筋厚評価値ＭＤと脂肪厚評価値ＦＤとをそれぞれ決定して処方情報出力部１６０に供給する。
【００９６】
処方情報出力部１６０は、処方テーブルＴＢＬ１３を参照して、身体能力取得部２１０から供給された運動力評価値ＥＤと、体組成評価部２３０から供給された体組成評価値（筋厚評価値ＭＤと脂肪厚評価値ＦＤ）とに基づいて、処方情報ＩＮＦを生成する。
【００９７】
このように、本実施形態の運動処方装置１Ｅは、被験者の身体能力測定に基づく身体能力評価値を取得する身体能力取得部２１０と、少なくとも身体能力評価値に基づいて運動処方を示す処方情報ＩＮＦを出力する処方情報出力部１６０とを備えている。これにより、運動処方装置１Ｅは、身体能力評価値に基づいて、処方情報ＩＮＦを生成することができる。よって、運動処方装置１Ｅは、例えば、被験者の運動力評価値ＥＤ及び体組成評価値（筋厚評価値ＭＤ、脂肪厚評価値ＦＤ等）の少なくともいずれか適切な評価値に基づいて処方情報ＩＮＦを生成することができるため、被験者に適した運動処方を提示することができる。
【００９８】
さらに、身体能力取得部２１０は、被験者の所定の身体部位における体組成に基づく体組成情報の入力を受け付ける体組成情報受付部２２０と、体組成情報受付部２２０で受け付けた体組成情報に基づいて体組成評価値を決定する体組成評価部２３０と、を備えている。そして、処方情報出力部１６０は、少なくとも運動力評価値ＥＤ及び体組成評価値を身体能力評価値として、処方情報ＩＮＦを出力する。即ち、処方情報出力部１６０は、少なくとも運動力評価値ＥＤ及び体組成評価値に基づいて、処方情報ＩＮＦを出力する。これにより、運動処方装置１Ｅは、運動力評価値ＥＤ及び体組成評価値に基づいて、処方情報ＩＮＦを生成することができる。
【００９９】
また、体組成情報受付部２２０は、被験者の所定の身体部位における筋厚の入力を受け付ける筋厚受付部１１０と、被験者の所定の身体部位における脂肪厚の入力を受け付ける脂肪厚受付部１４０とを備えている。また、体組成評価部２３０は、筋厚受付部１１０で受け付けた筋厚に基づいて筋厚評価値ＭＤを決定する筋厚評価部１２０と、脂肪厚受付部１４０で受け付けた脂肪厚に基づいて脂肪厚評価値ＦＤを決定する脂肪厚評価部１５０を備えている。そして、処方情報出力部１６０は、少なくとも筋厚評価値ＭＤ及び脂肪厚評価値ＦＤを体組成評価値として、処方情報ＩＮＦを出力する。即ち、処方情報出力部１６０は、少なくとも運動力評価値ＥＤ、筋厚評価値ＭＤ、及び脂肪厚評価値ＦＤに基づいて、処方情報ＩＮＦを出力する。つまり、運動処方装置１Ｅは、身体能力評価値（ここでは、第１実施形態の運動処方装置１Ａと同様に、運動力評価値ＥＤと、体組成評価値（筋厚評価値ＭＤと脂肪厚評価値ＦＤ））に基づいて、処方情報ＩＮＦを生成する。これにより、運動処方装置１Ｅは、運動力評価値ＥＤだけでなく、筋厚評価値ＭＤや脂肪厚評価値ＦＤを加味して処方情報ＩＮＦを生成することができるため、きめ細かくより適切な運動処方を被験者に提示することができる。
【０１００】
なお、運動処方装置１Ｅは、運動力評価値ＥＤのみを身体能力評価値として、運動力評価値ＥＤに基づいて処方情報ＩＮＦを生成してもよい。つまり、身体能力取得部２１０が、被験者の運動力測定に基づく運動力評価値ＥＤの入力を受け付ける運動力受付部１３０を備え、処方情報出力部１６０は、少なくとも運動力評価値ＥＤを身体能力評価値として、処方情報ＩＮＦを出力してもよい。即ち、処方情報出力部１６０は、少なくとも運動力評価値ＥＤに基づいて処方情報ＩＮＦを出力してもよい。例えば、身体能力取得部２１０は、運動力受付部１３０を備え、体組成情報受付部２２０及び体組成評価部２３０を備えていない構成としてもよい。この場合、運動処方装置１Ｅは、運動力評価値ＥＤのみに基づいて処方情報ＩＮＦを生成することができる。
【０１０１】
また、運動処方装置１Ｅは、体組成評価値のみを身体能力評価値として、体組成評価値に基づいて処方情報ＩＮＦを生成してもよい。つまり、身体能力取得部２１０が、被験者の所定の身体部位における体組成に基づく体組成情報の入力を受け付ける体組成情報受付部２２０と、体組成情報受付部２２０で受け付けた体組成情報に基づいて体組成評価値を決定する体組成評価部２３０とを備え、処方情報出力部１６０は、少なくとも体組成評価値を身体能力評価値として、処方情報ＩＮＦを出力してもよい。即ち、処方情報出力部１６０は、少なくとも体組成評価値に基づいて処方情報ＩＮＦを出力してもよい。例えば、身体能力取得部２１０は、体組成情報受付部２２０及び体組成評価部２３０を備え、運動力受付部１３０を備えていない構成としてもよい。この場合、運動処方装置１Ｅは、体組成評価値のみに基づいて処方情報ＩＮＦを生成することができる。
【０１０２】
また、運動処方装置１Ｅは、筋厚評価値ＭＤと脂肪厚評価値ＦＤとのいずれか一方を体組成評価値としてもよい。つまり、体組成情報受付部２２０は、筋厚受付部１１０と脂肪厚受付部１４０とのいずれか一方を備えた構成としてもよい。また、体組成評価部２３０は、筋厚評価部１２０と脂肪厚評価部１５０とのいずれか一方を備えた構成としてもよい。
例えば、処方情報出力部１６０は、少なくとも筋厚評価値ＭＤを体組成評価値として、処方情報ＩＮＦを出力してもよい。即ち、処方情報出力部１６０は、少なくとも運動力評価値ＥＤ及び筋厚評価値ＭＤに基づいて、処方情報ＩＮＦを出力してもよい。この場合、運動処方装置１Ｅは、運動力評価値ＥＤ及び筋厚評価値ＭＤに基づいて生成した処方情報ＩＮＦを被験者に提示することができる。
【０１０３】
また、処方情報出力部１６０は、少なくとも脂肪厚評価値ＦＤを体組成評価値として、処方情報ＩＮＦを出力してもよい。即ち、処方情報出力部１６０は、少なくとも運動力評価値ＥＤ及び脂肪厚評価値ＦＤに基づいて、処方情報ＩＮＦを出力してもよい。この場合、運動処方装置１Ｅは、運動力評価値ＥＤ及び脂肪厚評価値ＦＤに基づいて生成した処方情報ＩＮＦを被験者に提示することができる。
【０１０４】
上述したように、運動力評価値ＥＤ、筋厚評価値ＭＤ、及び脂肪厚評価値ＦＤの全ての評価値を用いなくとも処方情報ＩＮＦを生成することが可能な構成とした場合には、運動処方装置１Ｅの簡易化、又は、被験者に運動処方を提示する際の簡便化や時短化を図ることができる。
【０１０５】
また、上記第２から第４実施形態の構成を、本実施形態に組み合わせてもよい。例えば、運動処方装置１Ｅは、図８に示す構成に加えて、性別受付部１１１、年齢区分取得部１１２、身長受付部１１３、又は体重受付部１１４を備えた構成としてもよい。これにより、運動処方装置１Ｅ（筋厚評価部１２０）は、被験者の性別、年齢区分、身長、又は体重を考慮して筋厚評価値ＭＤを生成してもよい。また、運動処方装置１Ｅ（体組成評価部２３０）は、筋厚評価値ＭＤ以外の体組成評価値を生成する際に、被験者の性別、年齢区分、身長、又は体重を考慮してもよい。
【０１０６】
＜６．第６実施形態＞
第６実施形態の運動処方装置１Ｆについて説明する。上記第１から第５実施形態では、身体能力評価値（運動力評価値ＥＤ、筋厚評価値ＭＤ、又は脂肪厚評価値ＦＤ）に基づいて、処方情報ＩＮＦを生成する例を説明したが、本実施形態では、身体能力評価値に加えて、被験者の運動目標（目的）や運動内容等のニーズを加味して処方情報ＩＮＦを生成する例について説明する。
【０１０７】
図９は、第６実施形態の運動処方装置１Ｆを備えた運動処方システム１００のブロック図である。この図９に示す構成は、運動処方装置１Ｆが備えているハードディスク１３に問診テーブルＴＢＬ２０を追加した点を除いて、図１に示す構成と同様である。問診テーブルＴＢＬ２０は、運動目標や運動内容等のニーズを被験者に問診するための問診情報を記憶している。
【０１０８】
ここで、運動目標とは、被験者の運動する目標や目的（例えば、スポーツジムへの入会の目的、動機等）のことであって、例えば、被験者の「体重を落としたい」、「パワーアップしたい」、「生活習慣病予防」等といった運動することの目的である。なお、運動目標は、「体重を５０ｋｇ以下」、「腕立て伏せ５０回以上」等といった具体的な目標であってもよい。一方、運動内容とは、被験者が運動を行う運動方法（運動の種類、場所等）、運動を行う身体部位、運動することにより得られる効果（運動効果）等のことであって、例えば、「マシンジム」、「スタジオ」、「プール」等といった運動方法や、「全身」、「上半身」、「下半身」等といった運動を行う身体部位のことである。
【０１０９】
図１０に、ＣＰＵ１０が運動処方プログラムＰを実行することによって実現する運動処方装置１Ｆの機能ブロックを示す。運動処方装置１Ｆは、問診結果受付部２４０と問診テーブルＴＢＬ２０とを備えている点を除いて、図８に示す第５実施形態の運動処方装置１Ｅと同様に構成されている。以下、図１０を参照しつつ、運動処方装置１Ｆの機能ブロックについて説明する。
【０１１０】
問診結果受付部２４０は、問診テーブルＴＢＬ２０を参照して、被験者に対して問診する問診項目をディスプレイ１５に表示させる。また、問診結果受付部２４０は、入力部１４に入力される被験者に対する問診結果を受け付ける。そして、問診結果受付部２４０は、受け付けた問診結果に基づく問診結果情報ＰＤを処方情報出力部１６０に供給する。
【０１１１】
この図に示す例では、問診結果受付部２４０は、運動目標受付部２４１と、運動内容受付部２４２とを備えている。また、問診テーブルＴＢＬ２０は、運動目標テーブルＴＢＬ２１と、運動内容テーブルＴＢＬ２２とを備えている。ここで、問診テーブルＴＢＬ２０は、被験者に対して問診する問診項目としてディスプレイ１５に表示する問診情報（テキスト、画像等）を記憶している。具体的には、運動目標テーブルＴＢＬ２１は、運動目標（例えば、「体重を落としたい」、「パワーアップしたい」、「生活習慣病予防」等）に関する問診項目として表示する問診情報を記憶している。また、運動内容テーブルＴＢＬ２２は、運動内容（例えば、「マシンジム」、「スタジオ」、「プール」等といった運動方法）に関する問診項目として表示する問診情報を記憶している。
【０１１２】
運動目標受付部２４１は、運動目標テーブルＴＢＬ２１を参照して、運動目標に関する問診項目の問診情報をディスプレイ１５に表示させる。また、運動目標受付部２４１は、問診結果として、被験者が要望する運動目標の入力を受け付ける。運動内容受付部２４２は、運動内容テーブルＴＢＬ２２を参照して、運動内容に関する問診項目の問診情報をディスプレイ１５に表示させる。また、運動内容受付部２４２は、問診結果として、被験者が要望する運動内容の入力を受け付ける。
【０１１３】
処方情報出力部１６０は、処方テーブルＴＢＬ１３を参照して、身体能力取得部２１０から供給される身体能力評価値（運動力評価値ＥＤ、筋厚評価値ＭＤ、又は脂肪厚評価値ＦＤ）と、問診結果受付部２４０から供給される問診結果情報ＰＤとに基づいて、処方情報ＩＮＦを生成する。
【０１１４】
ここで、履歴テーブルＴＢＬ１４（記憶部）は、身体能力評価値、処方情報ＩＮＦ、及び処方日を対応づけて記憶する。閲覧情報出力部１８０は、閲覧受付部１７０で過去の処方の閲覧指示を受け付けると、履歴テーブルＴＢＬ１４（記憶部）の記憶内容を参照して、身体能力評価値、及び処方情報ＩＮＦを処方日ごとに区分けした閲覧情報を出力する。これにより、被験者は、過去の処方情報ＩＮＦなどを知ることができ、運動処方の効果を確認することができる。なお、履歴テーブルＴＢＬ１４（記憶部）は、さらに、身体能力評価値、処方情報ＩＮＦ、及び処方日に問診結果（問診結果情報ＰＤ）を対応付けて記憶してもよい。
【０１１５】
図１１に、本実施形態の処方テーブルＴＢＬ１３のデータ構造を示す。この図１１に示す処方テーブルＴＢＬ１３は、図４に示す第１処方テーブルＴＢＬ１３ａ、第２処方テーブルＴＢＬ１３ｂ、及び第３処方テーブルＴＢＬ１３ｃを、１組の処方テーブルＴＢＬ１３−Ｎ（Ｎは自然数）としたとき、問診結果に応じて複数組の処方テーブルＴＢＬ１３−Ｎ（ＴＢＬ１３−１、ＴＢＬ１３−２、ＴＢＬ１３−３・・・）を備えている。処方情報出力部１６０は、複数組の処方テーブルＴＢＬ１３−Ｎのうちのいずれかを問診結果情報ＰＤに基づいて選択するとともに、選択した処方テーブルＴＢＬ１３−Ｎを参照して、身体能力評価値（運動力評価値ＥＤ、筋厚評価値ＭＤ、又は脂肪厚評価値ＦＤ）に基づいて、処方情報ＩＮＦを選択する。
【０１１６】
図１２は、本実施形態の運動処方装置１Ｆが処方情報ＩＮＦを生成する処理の流れの一例を示す説明図である。この図に示す例では、まず被験者に対して問診が行われ、次に身体能力評価（運動力評価、筋厚評価、脂肪厚評価）が行われ、その後、被験者に対して運動メニューが処方される。
【０１１７】
問診（１）：運動処方装置１Ｆは、運動目標（目的）に関する問診項目をディスプレイ１５に表示する。そして、運動処方装置１Ｆは、この運動目標（目的）に関する問診項目に対する問診結果（運動目標（目的）の選択）の入力を受け付ける。問診（１）の問診結果の入力を受け付けると、運動処方装置１Ｆは、問診（２）の処理に移行する（ステップＳ１１０）。
【０１１８】
問診（２）：運動処方装置１Ｆは、問診（１）の問診結果に基づいて、運動方法に関する問診項目をディスプレイ１５に表示する。そして、運動処方装置１Ｆは、この運動方法に関する問診項目に対する問診結果（運動方法の選択）の入力を受け付ける。問診（２）の問診結果の入力を受け付けると、運動処方装置１Ｆは、その問診結果に応じて、問診（３）の処理、又は、身体能力評価の処理に移行する（ステップＳ１２０）。
【０１１９】
問診（３）：運動処方装置１Ｆは、問診（２）の問診結果に基づいて、運動を行う身体部位に関する問診項目をディスプレイ１５に表示する。そして、運動処方装置１Ｆは、この身体部位に関する問診項目に対する問診結果（部位選択）の入力を受け付ける。問診（３）の問診結果の入力を受け付けると、運動処方装置１Ｆは、その問診結果に応じて、問診（４）の処理、又は、身体能力評価の処理に移行する（ステップＳ１３０）。
【０１２０】
問診（４）：運動処方装置１Ｆは、問診（３）の問診結果に基づいて、運動の処方回数に関する問診項目をディスプレイ１５に表示する。そして、運動処方装置１Ｆは、この処方回数に関する問診項目に対する問診結果（処方回数の選択）の入力を受け付ける。問診（３）の問診結果の入力を受け付けると、運動処方装置１Ｆは、身体能力評価の処理に移行する（ステップＳ１４０）。
【０１２１】
身体能力評価：運動処方装置１Ｆは、被験者の身体能力測定に基づく身体能力評価値を取得する。具体的には、運動処方装置１Ｆは、被験者の運動力評価値ＥＤの入力を受け付けて取得する。また、運動処方装置１Ｆは、被験者の筋厚と脂肪厚の入力を受け付けて、受け付けた筋厚と脂肪厚に基づいて、筋厚評価値ＭＤと脂肪厚評価値ＦＤを取得（決定）する。身体能力評価値を取得すると、運動処方装置１Ｆは、運動処方出力の処理に移行する（ステップＳ１５０）。
【０１２２】
運動処方出力：運動処方装置１Ｆは、ステップＳ１１０、Ｓ１２０、Ｓ１３０、Ｓ１４０において受け付けた問診結果に基づく問診結果情報ＰＤと、ステップＳ１５０において取得した身体能力評価値（運動力評価値ＥＤ、筋厚評価値ＭＤ、脂肪厚評価値ＦＤ）とに基づいて処方情報ＩＮＦを生成して、生成した処方情報ＩＮＦをディスプレイ１５に表示する（ステップＳ１６０）。
この処方情報ＩＮＦが示す運動メニューには、例えば、問診結果情報ＰＤに基づいて選択された運動方法（場所）に応じて、「マシントレーニングメニュー」、「ファンクショナルトレーニングメニュー」、「スタジオプログラム」、及び、「プールプログラム」のいずれかが含まれている。
【０１２３】
以上説明したように、本実施形態の運動処方装置１Ｆは、問診結果受付部２４０を備え、被験者に対する問診結果を受け付ける。そして、処方情報出力部１６０は、少なくとも身体能力評価値及び問診結果情報ＰＤ（問診結果）に基づいて処方情報ＩＮＦを出力する。これにより、運動処方装置１Ｆは、身体能力評価値だけでなく、被験者に対する問診結果を加味して処方情報ＩＮＦを生成することができるため、被験者に適した運動処方を提示することができる。
【０１２４】
例えば、問診結果受付部２４０は、運動目標受付部２４１を備え、上述の問診結果として、被験者の運動目標の入力を受け付ける。そして、処方情報出力部１６０は、運動目標受付部２４１で受け付けた運動目標に基づいて処方情報ＩＮＦを出力する。これにより、運動処方装置１Ｆは、身体能力評価値だけでなく、被験者の運動目標（運動する目標や目的、スポーツジムへの入会の目的、動機等）を加味して処方情報ＩＮＦを生成することができるため、被験者に適した運動処方を提示することができる。
【０１２５】
また、問診結果受付部２４０は、運動内容受付部２４２を備え、上述の問診結果として、被験者が所望する運動内容の入力を受け付ける。そして、処方情報出力部１６０は、運動内容受付部２４２で受け付けた運動内容に基づいて処方情報ＩＮＦを出力する。これにより、運動処方装置１Ｆは、身体能力評価値だけでなく、被験者が所望する運動内容（運動方法（運動の種類、場所等）、運動を行う身体部位、運動効果等）を加味して処方情報ＩＮＦを生成することができるため、被験者に適した運動処方を提示することができる。
【０１２６】
また、処方情報出力部１６０は、運動目標受付部２４１で受け付けた運動目標と運動内容受付部２４２で受け付けた運動内容とに基づいて処方情報ＩＮＦを出力する。これにより、運動処方装置１Ｆは、身体能力評価値だけでなく、被験者の運動目標及び被験者が所望する運動内容を加味して処方情報ＩＮＦを生成することができるため、被験者に適した運動処方を提示することができる。
【０１２７】
なお、問診結果受付部２４０は、運動目標受付部２４１及び運動内容受付部２４２の両方を備えた構成としてもよいし、いずれか一方を備えた構成としてもよい。また、処方情報出力部１６０は、被験者の運動目標及び被験者が所望する運動内容の両方を問診結果として処方情報ＩＮＦを生成してもよいし、いずれか一方を問診結果として処方情報ＩＮＦを生成してもよい。
【０１２８】
また、身体能力取得部２１０は、被験者の所定の身体部位における体組成に基づく体組成情報の入力を受け付ける体組成情報受付部２２０と、体組成情報受付部２２０で受け付けた体組成情報に基づいて体組成評価値を決定する体組成評価部２３０と、を備えている。そして、処方情報出力部１６０は、少なくとも運動力評価値ＥＤ及び体組成評価値を身体能力評価値として、処方情報ＩＮＦを出力する。即ち、処方情報出力部１６０は、少なくとも運動力評価値ＥＤ及び体組成評価値と問診結果情報ＰＤ（問診結果）とに基づいて、処方情報ＩＮＦを出力する。これにより、運動処方装置１Ｆは、運動力評価値ＥＤ及び体組成評価値だけでなく、被験者に対する問診結果を加味して処方情報ＩＮＦを生成することができるため、被験者に適した運動処方を提示することができる。
【０１２９】
また、体組成情報受付部２２０は、被験者の所定の身体部位における筋厚の入力を受け付ける筋厚受付部１１０と、被験者の所定の身体部位における脂肪厚の入力を受け付ける脂肪厚受付部１４０とを備えている。また、体組成評価部２３０は、筋厚受付部１１０で受け付けた筋厚に基づいて筋厚評価値ＭＤを決定する筋厚評価部１２０と、脂肪厚受付部１４０で受け付けた脂肪厚に基づいて脂肪厚評価値ＦＤを決定する脂肪厚評価部１５０を備えている。そして、処方情報出力部１６０は、少なくとも筋厚評価値ＭＤ及び脂肪厚評価値ＦＤを体組成評価値として、処方情報ＩＮＦを出力する。即ち、処方情報出力部１６０は、少なくとも運動力評価値ＥＤ、筋厚評価値ＭＤ、及び脂肪厚評価値ＦＤと問診結果情報ＰＤ（問診結果）とに基づいて、処方情報ＩＮＦを出力する。これにより、運動処方装置１Ｆは、運動力評価値ＥＤ、筋厚評価値ＭＤ、及び脂肪厚評価値ＦＤだけでなく、被験者に対する問診結果を加味して処方情報ＩＮＦを生成することができるため、被験者に適した運動処方を提示することができる。
【０１３０】
次に、図１３及び図１４を参照して、図１２に示す処理の流れのうちのステップＳ１１０〜Ｓ１４０の問診（１）〜（４）の処理の詳細について説明する。図１３及び図１４は、ステップＳ１１０〜Ｓ１４０の問診（１）〜（４）の処理の具体例を示す図である。
【０１３１】
問診（１）は、運動目標の入力を受け付ける処理であり、運動処方装置１Ｆには、選択可能な運動目標が予め設定されている。例えば、運動メニューを処方することを目的に体系化された目標（目的）である「ダイエットとシェイプアップ（ＤＩＥＴ＆ＳＨＡＰＥ）」、「ボディメイク（ＢＯＤＹ  ＭＡＩＫＥ）」、「ヘルスケア（ＨＥＡＬＴＨ  ＣＡＲＥ）」、「ファンクショナル（ＦＡＮＣＴＩＯＮＡＬ）」、「ストレスフリー（ＳＴＲＥＳＳ  ＦＲＥＥ）」、「ダンススキル（ＤＡＮＮＣＥ  ＳＫＩＬＬ）」等が、選択可能な運動目標として予め設定されており、運動目標テーブルＴＢＬ２１に記憶されている。問診（１）は、これらの体系化された運動目標の中のいずれかを被験者に選択させるものであるが、被験者が初めから適切な運動目標を選択できるとは限らない。例えば、被験者には、「体重を落としたい」、「パワーアップしたい」、又は「生活習慣病予防」等といったような漠然としたニーズがあり、上述したような体系化された運動目標のいずれが被験者の入力すべき運動目標であるかが容易に判断できない場合がある。また、被験者には、漠然としたニーズが複数あることもあり、上述したような予め設定されている体系化された運動目標のいずれが被験者の入力すべき運動目標であるかが容易に判断できない場合がある。
【０１３２】
そこで、このステップＳ１１０の問診（１）の処理を、ステップＳ１１１の問診（１）−１の処理とステップＳ１１２の問診（１）−２の処理との２段階の処理としている。
まず、ステップＳ１１１では、運動処方装置１Ｆは、運動目標に関する被験者のニーズ（例えば、「体重を落としたい」、「パワーアップしたい」、「生活習慣病予防」等といった漠然としたニーズ）についての問診（ヒアリング）を行う。
【０１３３】
具体的には、運動目標テーブルＴＢＬ２１は、例えば、被験者のニーズを問診するための問診項目として提示する複数の問診情報（例えば、「体重を落としたい」、「パワーアップしたい」、「生活習慣病予防」等）を、予め設定された複数の運動目標のうちの少なくともいずれかと対応付けて記憶している。例えば、運動目標テーブルＴＢＬ２１は、「体重を落としたい」という問診情報を、「ダイエットとシェイプアップ（ＤＩＥＴ＆ＳＨＡＰＥ）」という運動目標と対応付けて記憶している。このステップＳ１１１において、運動目標受付部２４１は、運動目標テーブルＴＢＬ２１を参照して、運動目標に関する被験者のニーズを問診するための問診情報（例えば、「体重を落としたい」、「パワーアップしたい」、「生活習慣病予防」等）をディスプレイ１５に表示させる。
【０１３４】
そして、運動目標受付部２４１は、運動目標に関する被験者のニーズを問診するための問診情報（例えば、「体重を落としたい」、「パワーアップしたい」、「生活習慣病予防」等）に対する問診結果（例えば、該当する項目へのチェック（選択を示す情報））の入力を受け付けると、ステップＳ１１２に処理を進める。
【０１３５】
次に、ステップＳ１１２では、運動目標受付部２４１は、運動目標テーブルＴＢＬ２１を参照して、予め設定された複数の運動目標（「ダイエットとシェイプアップ（ＤＩＥＴ＆ＳＨＡＰＥ）」、「ボディメイク（ＢＯＤＹ  ＭＡＩＫＥ）」、「ヘルスケア（ＨＥＡＬＴＨ  ＣＡＲＥ）」、「ファンクショナル（ＦＡＮＣＴＩＯＮＡＬ）」、「ストレスフリー（ＳＴＲＥＳＳ  ＦＲＥＥ）」、「ダンススキル（ＤＡＮＮＣＥ  ＳＫＩＬＬ）」等）を、問診（１）−２の問診項目としてディスプレイ１５に表示させる。
【０１３６】
このとき、運動目標受付部２４１は、ステップＳ１１１の問診（１）−１の問診結果に基づいて、予め設定された複数の運動目標のうち被験者の入力すべき運動目標であると判断した運動目標には、入力すべき運動目標であることを示す表示情報（例えば、チェック（選択を示す情報））を付してディスプレイ１５に表示させる。
【０１３７】
具体的には、運動目標受付部２４１は、運動目標テーブルＴＢＬ２１を参照して、問診（１）−１で選択された問診項目と対応付けられている運動目標を被験者の入力すべき運動目標であると判断する。例えば、運動目標受付部２４１は、問診（１）−１の問診結果において「体重を落としたい」というニーズが選択されている場合、被験者の入力すべき運動目標であることを示す表示情報（例えば、チェック）を「ダイエットとシェイプアップ（ＤＩＥＴ＆ＳＨＡＰＥ）」に付してディスプレイ１５に表示させる。
【０１３８】
なお、運動目標受付部２４１は、問診（１）−１で選択された問診項目が複数ある場合には、選択された複数の問診項目のそれぞれに最も多く対応付けられている運動目標を被験者の入力すべき運動目標であると判断してもよい。また、複数の問診項目のそれぞれに重み付けが設定されていてもよく、運動目標受付部２４１は、重み付けと対応付けとに基づいて被験者の入力すべき運動目標を決定してもよい。
【０１３９】
また、運動目標受付部２４１は、上述の複数の運動目標を問診（１）−２の問診項目としてディスプレイ１５に表示させる場合、この複数の運動目標のいずれかを選択可能なように表示させてもよい。つまり、問診（１）−２において、運動目標受付部２４１は、問診（１）−１の問診結果に基づいて被験者の入力すべき運動目標を提示するが、その入力すべき運動目標をそのまま選択する（例えば、チェックをそのままにして確定する）ことも他の運動目標を選択する（例えば、他の運動項目にチェックを変更して確定する）ことも可能なように表示させてもよい。
【０１４０】
そして、運動目標受付部２４１は、上述の複数の運動目標のうちのいずれかを選択する入力を受け付けると、受け付けた運動目標を問診（１）−２の問診結果（即ち、問診（１）の問診結果）とするとともに、ステップＳ１２０の問診（２）に処理を進める。
【０１４１】
このように、運動目標受付部２４１は、予め設定された複数の運動目標のうちの少なくともいずれかに対応する問診項目を複数提示するとともに、当該問診項目に対する問診結果に基づいて、当該複数の運動目標の中から所定の運動目標を、入力されるべき運動目標（被験者の入力すべき運動目標）として提示する。ここで、所定の運動目標とは、予め設定された複数の運動目標のうち、複数の問診項目（運動目標に関する被験者の漠然としたニーズ）に対する問診結果に最も対応している運動目標（被験者のニーズに最も合っている運動目標）である。
【０１４２】
これにより、運動処方装置１Ｆは、被験者の「体重を落としたい」、「パワーアップしたい」、又は「生活習慣病予防」等といったような漠然としたニーズを問診することにより、その被験者に適切な運動目標を提示することができる。
【０１４３】
なお、上述の問診（１）の処理は、問診（１）−１の処理を省いてもよい。即ち、運動処方装置１Ｆは、初めから問診（１）−２の処理により、予め設定された複数の運動目標を選択可能に提示してもよい。また、上述の問診（１）の処理は、問診（１）−２の処理を省いてもよい。即ち、運動処方装置１Ｆは、問診（１）−１の問診結果に基づいて被験者に適した運動目標を自動的に選択して次に処理に進めてもよい。
【０１４４】
次に、ステップＳ１２０において、運動処方装置１Ｆは、運動方法に関する問診（２）の処理を行う。ここでは、ステップＳ１２０の問診（２）の処理を、ステップＳ１２１の問診（２）−１の処理とステップＳ１２２の問診（２）−２の処理との２段階の処理としている。
【０１４５】
ここで、運動内容テーブルＴＢＬ２２は、運動方法（運動の場所や種類）に関する被験者のニーズを問診するため問診（２）−１の問診項目として、例えば、「マシンジム」、「マシンジムでインストラクターとパーソナルトレーニング」、「スタジオ」、「プール」等といった複数の問診情報を記憶している。また、運動目標テーブルＴＢＬ２１は、問診（２）−１で「マシンジム」、又は「マシンジムでインストラクターとパーソナルトレーニング」が選択された場合にさらに詳しく問診するための問診（２）−２の問診項目として、例えば「マシン中心にトレーニングがしたい」、「マシン以外の器具も使ってトレーニングしたい」等といった複数の問診情報を記憶している。
【０１４６】
まず、ステップＳ１２１では、運動処方装置１Ｆは、運動方法（運動の場所や種類）に関する被験者のニーズについての問診（問診（２）−１）を行う。具体的には、運動内容受付部２４２は、運動内容テーブルＴＢＬ２２を参照して、運動方法（運動の場所や種類）に関する被験者のニーズを問診するための複数の問診情報（例えば、「マシンジム」、「マシンジムでインストラクターとパーソナルトレーニング」、「スタジオ」、「プール」等）を、選択可能なようにディスプレイ１５に表示させる。
【０１４７】
そして、運動内容受付部２４２は、上述の複数の運動方法（運動の場所や種類）のうちのいずれかを選択する入力を受け付けると、受け付けた運動方法（運動の場所や種類）を問診（２）−１の問診結果とする。ここで、運動内容受付部２４２は、「マシンジム」、又は「マシンジムでインストラクターとパーソナルトレーニング」が選択された場合には、ステップＳ１２２の問診（２）−２に処理を進める。一方、他の運動方法（運動の場所や種類）が選択された場合には、運動内容受付部２４２は、問診を終了してステップＳ１５０（身体能力評価）に処理を進める。
【０１４８】
次に、ステップＳ１２２では、運動内容受付部２４２は、運動内容テーブルＴＢＬ２２を参照して、運動方法（運動の場所や種類）をさらに詳しく問診するための複数の問診情報（例えば「マシン中心にトレーニングがしたい」、「マシン以外の器具も使ってトレーニングしたい」等）を、選択可能なようにディスプレイ１５に表示させる。
【０１４９】
また、ステップＳ１２１において、運動方法として、「マシンジム」又は「マシンジムでインストラクターとパーソナルトレーニング」が選択された場合には、運動内容受付部２４２は、ステップＳ１２２の処理の後に、ステップＳ１３０の問診（３）に処理を進める。
【０１５０】
ステップＳ１３０の問診（３）の処理は、運動を行う身体部位に関する問診を行う処理である。例えば、運動内容テーブルＴＢＬ２２は、所定の運動方法と、予め設定されている運動目標と、運動を行う身体部位に関する複数の問診情報（例えば、「全身」、「上半身」、「下半身」等）とを対応付けて記憶している。例えば、運動内容テーブルＴＢＬ２２は運動方法のうちの「マシンジム」又は「マシンジムでインストラクターとパーソナルトレーニング」と、運動目標のうちの「ボディメイク（ＢＯＤＹ  ＭＡＩＫＥ）」、「ヘルスケア（ＨＥＡＬＴＨ  ＣＡＲＥ）」、及び「ファンクショナル（ＦＡＮＣＴＩＯＮＡＬ）」のそれぞれと、運動を行う身体部位に関する複数の問診情報とを対応付けて記憶している。
運動内容受付部２４２は、ステップＳ１１２の問診結果において選択された運動目標に応じて、運動内容テーブルＴＢＬ２２を参照して、運動を行う身体部位に関する複数の問診情報を、選択可能なようにディスプレイ１５に表示させる。
【０１５１】
このように、運動内容受付部２４２は、被験者が所望する運動内容として選択可能な複数の運動方法を提示するとともに、当該提示した複数の運動方法のうち、受け付けた運動方法が所定の運動方法である場合には、運動を行う身体部位を選択可能に提示する。これにより、運動処方装置１Ｆは、被験者が所望する運動内容をきめ細かく取得することができる。したがって、運動処方装置１Ｆは、被験者に適した運動処方を提示することができる。
【０１５２】
また、ステップＳ１３０において運動を行う身体部位が選択可能に表示される運動方法（例えば、「マシンジム」、又は「マシンジムでインストラクターとパーソナルトレーニング」）の一部又は全部は、運動を行う処方回数の設定が可能である。
【０１５３】
例えば、運動内容受付部２４２は、ステップＳ１２０において受け付けた運動方法が、運動を行う処方回数の設定が可能な運動方法（例えば、「マシンジム」、又は「マシンジムでインストラクターとパーソナルトレーニング」の一部又は全部）である場合には、ステップＳ１２０の処理後又はステップＳ１３０の処理後に、ステップＳ１４０の問診（４）に処理を進める。
【０１５４】
ステップＳ１４０の問診（４）の処理は、運動を行う処方回数の設定を行うための処理であって、運動効果に関する被験者のニーズを問診することによって、ニーズにあった運動効果に対応する処方回数の設定を行う処理である。なお、この問診（４）の処理では、被験者の所望の運動効果が問診結果として得られ、その運動効果が得られるために必要な具体的な処方回数は、ステップＳ１６０の処方情報ＩＮＦの生成において決定される。
【０１５５】
運動内容テーブルＴＢＬ２２は、例えば、運動を行う処方回数の設定が可能な運動方法（又は、運動方法及び身体部位）と、運動を行う処方回数に対応する運動効果を示す情報とを対応付けて記憶している。この運動効果を示す情報は、例えば、「最大筋力向上」、「筋肥大」、「持久力向上」、「シェイプアップ」、「健康維持管理」等といった情報である。
【０１５６】
ステップＳ１４０において、運動内容受付部２４２は、運動内容テーブルＴＢＬ２２を参照して、運動効果に関する被験者のニーズを問診するための複数の問診情報として、複数の運動効果を示す情報（例えば、「最大筋力向上」、「筋肥大」、「持久力向上」、「シェイプアップ」、「健康維持管理」等）を、選択可能なようにディスプレイ１５に表示させる。そして、運動内容受付部２４２は、上述の複数の運動効果を示す情報のうちのいずれかを選択する入力を受け付けると、受け付けた運動効果を問診（４）の問診結果とする。
【０１５７】
このように、運動を行う身体部位を選択可能に提示される運動方法の一部又は全部は、運動を行う処方回数の設定が可能である。また、運動内容受付部２４２は、被験者が所望する運動内容として受け付けた運動方法が運動を行う処方回数を設定可能な運動方法である場合には、運動を行う処方回数に対応する運動効果を示す情報を選択可能に提示する。これにより、運動処方装置１Ｆは、被験者が所望する運動効果が得られるために必要な処方回数を設定することができる。したがって、運動処方装置１Ｆは、被験者に適した運動処方を提示することができる。
【０１５８】
なお、運動処方装置１Ｆは、処方回数を問診項目としてもよく、被験者が所望する処方回数を問診結果として取得する構成としてもよい。
【０１５９】
以上説明したステップＳ１１０〜Ｓ１４０の問診（１）〜（４）の処理により、運動処方装置１Ｆは、被験者の運動目標（目的）や運動内容等のニーズに関する問診が終了すると、次のステップＳ１５０の身体能力評価の処理に移行する。また、問診結果受付部２４０は、ステップＳ１１０の問診（１）、ステップＳ１２０の問診（２）、ステップＳ１３０の問診（３）、又はステップＳ１４０の問診（４）の問診結果に基づいて、問診結果情報ＰＤを生成し、生成した問診結果情報ＰＤを処方情報出力部１６０に供給する。
【０１６０】
なお、運動処方装置１Ｆは、筋厚評価値ＭＤと脂肪厚評価値ＦＤとのいずれか一方を体組成評価値としてもよい。つまり、体組成情報受付部２２０は、筋厚受付部１１０と脂肪厚受付部１４０とのいずれか一方を備えた構成としてもよい。また、体組成評価部２３０は、筋厚評価部１２０と脂肪厚評価部１５０とのいずれか一方を備えた構成としてもよい。
例えば、処方情報出力部１６０は、少なくとも筋厚評価値ＭＤを体組成評価値として、処方情報ＩＮＦを出力してもよい。即ち、処方情報出力部１６０は、少なくとも運動力評価値ＥＤ及び筋厚評価値ＭＤと問診結果情報ＰＤ（問診結果）とに基づいて、処方情報ＩＮＦを出力してもよい。この場合、運動処方装置１Ｆは、運動力評価値ＥＤ及び筋厚評価値ＭＤだけでなく、被験者に対する問診結果を加味して処方情報ＩＮＦを生成することができる。
【０１６１】
また、処方情報出力部１６０は、少なくとも脂肪厚評価値ＦＤを体組成評価値として、処方情報ＩＮＦを出力してもよい。即ち、処方情報出力部１６０は、少なくとも運動力評価値ＥＤ及び脂肪厚評価値ＦＤと問診結果情報ＰＤ（問診結果）とに基づいて、処方情報ＩＮＦを出力してもよい。この場合、運動処方装置１Ｆは、運動力評価値ＥＤ及び脂肪厚評価値ＦＤだけでなく、被験者に対する問診結果を加味して処方情報ＩＮＦを生成することができる。
【０１６２】
また、運動処方装置１Ｆは、体組成評価値のみを身体能力評価値として、体組成評価値に基づいて処方情報ＩＮＦを生成してもよい。つまり、身体能力取得部２１０が、被験者の所定の身体部位における体組成に基づく体組成情報の入力を受け付ける体組成情報受付部２２０と、体組成情報受付部２２０で受け付けた体組成情報に基づいて体組成評価値を決定する体組成評価部２３０とを備え、処方情報出力部１６０は、少なくとも体組成評価値を身体能力評価値として、処方情報ＩＮＦを出力してもよい。即ち、処方情報出力部１６０は、少なくとも体組成評価値と問診結果情報ＰＤ（問診結果）とに基づいて処方情報ＩＮＦを出力してもよい。例えば、身体能力取得部２１０は、体組成情報受付部２２０及び体組成評価部２３０を備え、運動力受付部１３０を備えていない構成としてもよい。この場合、運動処方装置１Ｆは、体組成評価値だけでなく、被験者に対する問診結果を加味して処方情報ＩＮＦを生成することができる。
【０１６３】
また、身体能力取得部２１０は、少なくとも運動力受付部１３０を備え、体組成情報受付部２２０及び体組成評価部２３０を備えていない構成としてもよい。即ち、運動力評価値ＥＤと問診結果情報ＰＤ（問診結果）とに基づいて処方情報ＩＮＦが生成されてもよい。
図１５に、運動力評価値ＥＤと問診結果情報ＰＤとに基づいて処方情報ＩＮＦを生成する運動処方装置１Ｇの機能ブロックを示す。図１５に示す運動処方装置１Ｇは、身体能力取得部２１０が体組成情報受付部２２０及び体組成評価部２３０を備えていない点と、筋厚評価テーブルＴＢＬ１１ａ及び脂肪厚評価テーブルＴＢＬ１２を備えていない点とを除いて、図１０に示す運動処方装置１Ｆと同様に構成されている。
【０１６４】
運動処方装置１Ｇの処方情報出力部１６０は、運動力評価値ＥＤと問診結果情報ＰＤとに基づいて処方情報ＩＮＦを生成する。この場合、処方テーブルＴＢＬ１３は、運動力評価値ＥＤと問診結果情報ＰＤとに対応付けて処方情報ＩＮＦを記憶している。
【０１６５】
このように、運動処方装置１Ｇは、身体能力取得部２１０が、被験者の運動力測定に基づく運動力評価値ＥＤの入力を受け付ける運動力受付部１３０を備え、処方情報出力部１６０は、少なくとも運動力評価値ＥＤを身体能力評価値として、処方情報ＩＮＦを出力する。即ち、運動処方装置１Ｇの処方情報出力部１６０は、少なくとも運動力評価値ＥＤと問診結果情報ＰＤ（問診結果）とに基づいて処方情報ＩＮＦを出力する。これにより、運動処方装置１Ｇは、運動力評価値ＥＤだけでなく、被験者に対する問診結果を加味して処方情報ＩＮＦを生成することができるため、被験者に適した運動処方を提示することができる。
【０１６６】
上述したように、運動力評価値ＥＤ、筋厚評価値ＭＤ、及び脂肪厚評価値ＦＤの全ての評価値を用いなくとも処方情報ＩＮＦを生成することが可能な構成とした場合には、運動処方装置１Ｆ（１Ｇ）の簡易化、又は、被験者に運動処方を提示する際の簡便化や時短化を図ることができる。
【０１６７】
また、上記第２から第４実施形態の構成を、本実施形態に組み合わせてもよい。例えば、運動処方装置１Ｆは、図１０に示す構成に加えて、性別受付部１１１、年齢区分取得部１１２、身長受付部１１３、又は体重受付部１１４を備えた構成としてもよい。これにより、運動処方装置１Ｆ（筋厚評価部１２０）は、被験者の性別、年齢区分、身長、又は体重を考慮して筋厚評価値ＭＤを生成してもよい。また、運動処方装置１Ｆ（体組成評価部２３０）は、筋厚評価値ＭＤ以外の体組成評価値を生成する際に、被験者の性別、年齢区分、身長、又は体重を考慮してもよい。
【０１６８】
なお、図１３及び図１４に示す問診（１）〜問診（４）における問診の具体的な内容（問診情報）は、一例を示すものでこの内容に限られるものではない。例えば、問診（１）で選択可能な予め設定された運動目標（目的）は、「ダイエットとシェイプアップ（ＤＩＥＴ＆ＳＨＡＰＥ）」、「ボディメイク（ＢＯＤＹ  ＭＡＩＫＥ）」、「ヘルスケア（ＨＥＡＬＴＨ  ＣＡＲＥ）」、「ファンクショナル（ＦＡＮＣＴＩＯＮＡＬ）」、「ストレスフリー（ＳＴＲＥＳＳ  ＦＲＥＥ）」、及び「ダンススキル（ＤＡＮＮＣＥ  ＳＫＩＬＬ）」のうちの一部であってもよいし、他の運動目標が含まれていてもよい。また、問診（２）で選択可能な運動方法（運動の場所や種類）は、「マシンジム」、「マシンジムでインストラクターとパーソナルトレーニング」、「スタジオ」、及び「プール」のうちの一部であってもよいし、他の運動方法が含まれていてもよい。さらに、「インストラクターとパーソナルトレーニング」が行える運動方法は、「マシンジム」に限られるものではなく、他の運動方法（「スタジオ」、「プール」等）であってもよい。また、問診（３）又は問診（４）で選択可能な身体部位、又は処方回数に対応する運動効果も、図示する内容に限られるものではなく、他の身体部位又は運動効果であってもよい。また、「マシンジム」以外の運動方法が選択された場合においても、身体部位又は運動効果の選択が可能な構成としてもよい。
【０１６９】
＜７．第７実施形態＞
以上、本発明の第１から第６実施形態に係る運動処方システム１００について説明してきた。次に、本発明に係る体力判定装置を用いた体力判定システム３００について、図面を参照しつつ説明する。
図１６は、本発明の第７実施形態に係る体力判定システム３００のブロック図である。この体力判定システム３００は、体力判定装置３Ａと超音波測定装置２とを備える。体力判定システム３００は、例えば、スポーツジムなどで被験者の体力を判定する場合に用いられる。
【０１７０】
この図１６に示す体力判定装置３Ａは、ハードディスク１３に、体力判定プログラムＰＨと、判定テーブルＴＢＬ１５とが記憶されている点を除いて、図１に示す運動処方装置１Ａと同様に構成されている。判定テーブルＴＢＬ１５は、各種の評価値（例えば、体組成評価値、運動力評価値等の身体能力評価値）と、体力の判定結果（体力判定結果）を示す判定結果情報とを対応付けて記憶している。なお、本実施形態では、履歴テーブルＴＢＬ１４は、各種評価値、判定結果情報、及び判定日を被験者を識別する識別情報と対応づけて記憶している。
【０１７１】
次に、ＣＰＵ１０が体力判定プログラムＰＨを実行することによって実現する体力判定装置３Ａの機能ブロックについて、図１７を参照しつつ説明する。この図１７に示す体力判定装置３Ａは、処方テーブルＴＢＬ１３と処方情報出力部１６０とに代えて判定テーブルＴＢＬ１５と判定結果情報出力部１９０とを備えている点を除いて、図８に示す運動処方装置１Ｅと同様の構成である。
【０１７２】
身体能力取得部２１０は、運動力受付部１３０と、体組成情報受付部２２０と、体組成評価部２３０とを備え、取得した各種評価値を判定結果情報出力部１９０に供給する。例えば、運動力受付部１３０は、入力部１４によって入力される運動力評価値ＥＤを受け付けて判定結果情報出力部１９０に供給する。
【０１７３】
また、体組成評価部２３０は、体組成情報受付部２２０で受け付けた体組成情報に基づいて、体組成評価値を決定して判定結果情報出力部１９０に供給する。具体的には、筋厚評価部１２０は、筋厚受付部１１０で受け付けた筋厚に基づいて、筋厚評価値ＭＤを決定して判定結果情報出力部１９０に供給する。また、脂肪厚評価部１５０は、脂肪厚受付部１４０で受け付けた脂肪厚に基づいて、脂肪厚評価値ＦＤを決定して判定結果情報出力部１９０に供給する。
【０１７４】
判定結果情報出力部１９０は、判定テーブルＴＢＬ１５を参照して、身体能力取得部２１０から供給された運動力評価値ＥＤと、体組成評価部２３０から供給された体組成評価値（筋厚評価値ＭＤと脂肪厚評価値ＦＤ）とに基づいて、被験者の体力判定結果を示す判定結果情報ＪＤを生成する。つまり、判定結果情報出力部１９０は、運動力評価値ＥＤと体組成評価値（筋厚評価値ＭＤと脂肪厚評価値ＦＤ）とに基づく総合判定を行い、その総合判定の結果を被験者の体力判定結果（体力診断結果）として生成する。
また、判定結果情報出力部１９０は、生成した判定結果情報ＪＤをディスプレイ１５に表示させる。
【０１７５】
図１８及び図１９に判定テーブルＴＢＬ１５のデータ構造の例を示す。図１８は、運動力評価値ＥＤと筋厚評価値ＭＤとに基づいて体力判定を行う際に参照される第１判定テーブルＴＢＬ１５ａの一例を示している。また、図１９は、第１判定テーブルＴＢＬ１５ａにより定まる運動力評価値ＥＤと筋厚評価値ＭＤとに基づく体力判定に対して、脂肪厚評価値ＦＤに基づいて補正した体力判定（総合判定）を行う際に参照される第２判定テーブルＴＢＬ１５ｂの一例を示している。
ここでは第１実施形態で説明したように、運動力評価値ＥＤはＥＤ＝１〜６の６段階で評価されるものとする。また同様に第１実施形態で説明したように、筋厚評価値ＭＤはＭＤ＝１〜５の５段階で評価されるものとする。この図に示す例では、筋厚評価値ＭＤ＝１で「非常に薄い」、筋厚評価値ＭＤ＝２で「薄い」、筋厚評価値ＭＤ＝３で「標準」、筋厚評価値ＭＤ＝４で「厚い」、筋厚評価値ＭＤ＝５で「非常に厚い」といった評価とする。
なお、この図に示す例では、脂肪厚評価値ＦＤは、５段階で評価されるものとし、脂肪厚評価値ＦＤ＝５で「非常に薄い」、脂肪厚評価値ＦＤ＝４で「薄い」、脂肪厚評価値ＦＤ＝３で「標準」、脂肪厚評価値ＦＤ＝２で「厚い」、脂肪厚評価値ＦＤ＝１で「非常に厚い」といった評価とする。
【０１７６】
図１８に示す第１判定テーブルＴＢＬ１５ａは、６段階の運動力評価値ＥＤと５段階の筋厚評価値ＭＤとのそれぞれの組み合わせに対応づけられた判定結果情報ＪＤを記憶している。この図に示す例では、第１判定テーブルＴＢＬ１５ａは、６段階の運動力評価値ＥＤと５段階の筋厚評価値ＭＤとのそれぞれの組み合わせに、６段階（Ｓ、Ａ、Ｂ、Ｃ、Ｄ、Ｅ）にグレーディングされた体力レベルのいずれかを判定結果情報ＪＤとして対応付けて記憶している。なお、ここでは、体力レベルＳ、Ａ、Ｂ、Ｃ、Ｄ、Ｅの順に体力レベルが高い方から低い方へ６段階にグレーディングされている。
【０１７７】
例えば、運動力評価値ＥＤ＝６、筋厚評価値ＭＤ＝４の場合、判定結果情報出力部１９０は、第１判定テーブルＴＢＬ１５ａを参照して体力レベルＳを読み出す。また、運動力評価値ＥＤ＝１、筋厚評価値ＭＤ＝４の場合、判定結果情報出力部１９０は、第１判定テーブルＴＢＬ１５ａを参照して体力レベルＤを読み出す。
【０１７８】
続いて、判定結果情報出力部１９０は、第１判定テーブルＴＢＬ１５ａを参照して読み出した体力レベルに対して脂肪厚評価値ＦＤに基づいて補正された体力レベルを、第２判定テーブルＴＢＬ１５ｂを参照して読み出して、最終的な体力判定（総合判定）結果としての判定結果情報ＪＤを生成する。
【０１７９】
図１９に示す第２判定テーブルＴＢＬ１５ｂは、６段階の運動力評価値ＥＤと５段階の筋厚評価値ＭＤとに基づく体力判定結果（体力レベル）と、脂肪厚評価値ＦＤとのそれぞれの組み合わせに、６段階（Ｓ、Ａ、Ｂ、Ｃ、Ｄ、Ｅ）にグレーディングされた体力レベルのいずれかを判定結果情報ＪＤとして対応付けて記憶している。
【０１８０】
例えば、運動力評価値ＥＤ＝６、筋厚評価値ＭＤ＝４の場合、判定結果情報出力部１９０は、第１判定テーブルＴＢＬ１５ａを参照して体力レベルＳを読み出すが、脂肪厚評価値ＦＤ＝２の場合には、第２判定テーブルＴＢＬ１５ｂを参照して体力レベルＡを最終的な体力判定（総合判定）結果として判定結果情報ＪＤを生成する。また、判定結果情報出力部１９０は、生成した判定結果情報ＪＤ（ここでは、体力レベルＡ）をディスプレイ１５に表示させる。
【０１８１】
なお、判定結果情報出力部１９０が出力する判定結果情報ＪＤは、体力レベル（Ｓ、Ａ、Ｂ、Ｃ、Ｄ、Ｅ）であってもよいが、各体力レベルに対応するテキストであてもよい。例えば、判定テーブルＴＢＬ１５には、各体力レベルに代えて又は各体力レベルに加えて、各体力レベルに対応するテキストが記憶されていてもよく、判定結果情報出力部１９０は、判定テーブルＴＢＬ１５から読み出した各体力レベルに対応するテキストをディスプレイ１５に表示させてもよい。
例えば、体力レベルＢに対応する判定結果情報ＪＤが、「日常生活にはまったく問題なくリクリエーションやスポーツを行える身体のコンディションです。但し積極的に運動に取り組むにはやや筋力が不足しています。」といったテキストで構成されてもよい。
【０１８２】
以上説明してきたように、本実施形態の体力判定装置３Ａは、被験者の所定の身体部位における体組成に基づく体組成情報の入力を受け付ける体組成情報受付部２２０と、体組成情報受付部２２０で受け付けた体組成情報に基づいて体組成評価値を決定する体組成評価部２３０と、被験者の運動力測定に基づく運動力評価値ＥＤの入力を受け付ける運動力受付部１３０とを備えている。また、体力判定装置３Ａは、少なくとも運動力評価値ＥＤ及び体組成評価値に基づいて被験者の体力判定結果を示す判定結果情報ＪＤを出力する判定結果情報出力部１９０を備えている。
【０１８３】
このように、体力判定装置３Ａは、運動力評価値ＥＤと体組成評価値との両方に基づいて判定結果情報ＪＤを生成するため、適切な体力判定結果を被験者に提示することができる。
【０１８４】
ここで、体組成情報受付部２２０は、被験者の所定の身体部位における筋厚の入力を受け付ける筋厚受付部１１０を備えている。また、体組成評価部２３０は、筋厚受付部１１０で受け付けた筋厚に基づいて筋厚評価値ＭＤを決定する筋厚評価部１２０を備えている。そして、判定結果情報出力部１９０は、少なくとも筋厚評価値ＭＤを体組成評価値として、判定結果情報ＪＤを出力する。即ち、判定結果情報出力部１９０は、少なくとも運動力評価値ＥＤ及び筋厚評価値ＭＤに基づいて、判定結果情報ＪＤを出力する。
【０１８５】
このように、体力判定装置３Ａは、運動力評価値ＥＤと筋厚評価値ＭＤとの両方に基づいて判定結果情報ＪＤを生成するため、適切な体力判定結果を被験者に提示することができる。つまり、体力判定装置３Ａは、体を動かす力の源となる筋厚と実際の運動力とに基づいて体力判定を行うため、より適切な体力判定結果を被験者に提示することができる。
【０１８６】
さらに、体組成情報受付部２２０は、被験者の所定の身体部位における脂肪厚の入力を受け付ける脂肪厚受付部１４０を備えている。また、体組成評価部２３０は、脂肪厚受付部１４０で受け付けた脂肪厚に基づいて脂肪厚評価値ＦＤを決定する脂肪厚評価部１５０を備えている。そして、判定結果情報出力部１９０は、少なくとも筋厚評価値ＭＤ及び脂肪厚評価値ＦＤを体組成評価値として、判定結果情報ＪＤを出力する。即ち、判定結果情報出力部１９０は、少なくとも運動力評価値ＥＤ、筋厚評価値ＭＤ、及び脂肪厚評価値ＦＤに基づいて、判定結果情報ＪＤを出力する。
【０１８７】
このように、体力判定装置３Ａは、運動力評価値ＥＤ、筋厚評価値ＭＤ、及び脂肪厚評価値ＦＤに基づいて判定結果情報ＪＤを生成するため、より適切な体力判定結果を被験者に提示することができる。例えば、体脂肪は運動する際のエネルギーの備蓄である反面、その体脂肪の重量は運動する際の負荷になる。そのため、筋厚評価値ＭＤが高いにも拘わらず、脂肪の量が多いことにより体力が低下することがある。つまり、脂肪の量によっても体力には影響が生じることがある。よって、体力判定装置３Ａは、運動力評価値ＥＤ及び筋厚評価値ＭＤだけでなく、脂肪厚評価値ＦＤを加味して体力判定を行うことにより、より適切な体力判定結果を被験者に提示することができる。
【０１８８】
なお、判定結果情報出力部１９０は、少なくとも脂肪厚評価値ＦＤを体組成評価値として、判定結果情報ＪＤを出力してもよい。即ち、判定結果情報出力部１９０は、少なくとも運動力評価値ＥＤ及び脂肪厚評価値ＦＤに基づいて、判定結果情報ＪＤを出力してもよい。
【０１８９】
上述したように、脂肪の量によっても体力には影響が生じることがある。また、例えば、体重が同じであれば、体脂肪が多ければ筋量が少なく体脂肪が少なければ筋量が多いことになる。そのため、筋厚の代わりに脂肪厚を評価することによっても筋肉量を推定することも可能である。したがって、体力判定装置３Ａは、運動力評価値ＥＤだけでなく、脂肪厚評価値ＦＤを加味して判定結果情報ＪＤを生成することにより、適切な体力判定結果を被験者に提示することができる。
【０１９０】
ここで説明を図１７に戻す。閲覧受付部１７０は、入力部１４によって入力される閲覧指示を受け付けて閲覧情報出力部１８０に供給する。この閲覧指示には、被験者を識別する識別情報が含まれている。履歴テーブルＴＢＬ１４には、判定結果情報出力部１９０が、判定結果情報ＪＤを出力する度に、体組成評価値、運動力評価値ＥＤ、判定結果情報ＪＤ、及び処方日が、被験者の識別情報と対応づけて記憶される。閲覧情報出力部１８０は、閲覧受付部１７０が閲覧指示を受け付けると、履歴テーブルＴＢＬ１４から、識別情報に対応する体組成評価値、運動力評価値ＥＤ、判定結果情報ＪＤ、及び処方日を読み出して閲覧情報Ｘとして、ディスプレイ１５に出力する。これにより、被験者は、過去の判定結果情報ＪＤなどを知ることができ、過去の体力や過去から現在に至る体力の変化を確認することができる。
【０１９１】
このように、体力判定装置３Ａは、体組成評価値、運動力評価値ＥＤ、判定結果情報ＪＤ、及び判定日を対応づけて記憶する履歴テーブルＴＢＬ１４（記憶部）と、過去の判定の閲覧指示を受け付ける閲覧受付部１７０と、閲覧受付部１７０で閲覧指示を受け付けると、履歴テーブルＴＢＬ１４（記憶部）の記憶内容を参照して体組成評価値、運動力評価値ＥＤ、及び判定結果情報ＪＤを判定日ごとに区分けした閲覧情報を出力する閲覧情報出力部１８０と、を備えている。これにより、体力判定装置３Ａは、過去の履歴を被験者に見せることができるので、過去の体力や過去から現在に至る体力の変化を確認することが可能となる。
【０１９２】
＜８．第８実施形態＞
第８実施形態の体力判定装置３Ｂについて説明する。体力判定装置３Ｂは、体組成評価値を生成する際に、被験者の性別を考慮する点を除いて、第７実施形態の体力判定装置３Ａと同様に構成されている。ここでは、体組成評価値のうちの筋厚評価値ＭＤを生成する際に被験者の性別を考慮する例について説明する。
【０１９３】
図２０に、ＣＰＵ１０が体力判定プログラムＰＨを実行することによって実現する体力判定装置３Ｂの機能ブロックを示す。図２０に示す体力判定装置３Ｂは、性別受付部１１１を追加した点及び筋厚評価テーブルＴＢＬ１１ａの替わりに筋厚評価テーブルＴＢＬ１１ｂを用いる点を除いて、図１７に示す第７実施形態の体力判定装置３Ａと同様に構成されている。ここで、性別受付部１１１及び筋厚評価テーブルＴＢＬ１１ｂは、第２実施形態の運動処方装置１Ｂが備える各構成（図５参照）と同様である。そして、体力判定装置３Ｂの筋厚評価部１２０は、第２実施形態の運動処方装置１Ｂの筋厚評価部１２０と同様に、筋厚受付部１１０で受け付けた筋厚と性別受付部１１１で受け付けた性別に基づいて、筋厚評価値ＭＤを生成する。
【０１９４】
このように、体力判定装置３Ｂは、性別を考慮して筋厚評価値ＭＤを生成するので、より細かく筋厚を評価でき、これに基づいて判定結果情報ＪＤを生成したので、性別を考慮したより適切な体力判定結果を被験者に提示することができる。
【０１９５】
なお、図２０を用いて、筋厚評価値ＭＤを生成する際に被験者の性別を考慮する例について説明したが、筋厚評価値ＭＤ以外の体組成評価値（例えば、脂肪厚評価値ＦＤ）を生成する際に被験者の性別を考慮するように構成してもよい。
【０１９６】
以上説明したように第８実施形態によれば、体力判定装置３Ｂは、被験者の性別の入力を受け付ける性別受付部１１１をさらに備えている。そして、体組成評価部２３０は、性別受付部１１１で受け付けた性別に応じて、体組成情報受付部２２０で受け付けた体組成情報に対して決定する体組成評価値の一部または全部を異ならせるようにした。
【０１９７】
これにより、体力判定装置３Ｂは、性別を考慮して体組成評価値を生成するので、より細かく体組成を評価でき、これに基づいて判定結果情報ＪＤを生成したので、性別を考慮したより適切な体力判定結果を被験者に提示することができる。
【０１９８】
＜９．第９実施形態＞
第９実施形態の体力判定装置３Ｃについて説明する。体力判定装置３Ｃは、体組成評価値を生成する際に、被験者の性別の他に年齢区分を考慮する点を除いて、第８実施形態の体力判定装置３Ｂと同様に構成されている。ここでは、体組成評価値のうちの筋厚評価値ＭＤを生成する際に被験者の性別の他に年齢区分を考慮する例について説明する。
【０１９９】
図２１に、ＣＰＵ１０が体力判定プログラムＰＨを実行することによって実現する体力判定装置３Ｃの機能ブロックを示す。図２１に示す体力判定装置３Ｃは、年齢区分取得部１１２を追加した点及び筋厚評価テーブルＴＢＬ１１ｂの替わりに筋厚評価テーブルＴＢＬ１１ｃを用いる点を除いて、図２０に示す第８実施形態の体力判定装置３Ｂと同様に構成されている。ここで、年齢区分取得部１１２及び筋厚評価テーブルＴＢＬ１１ｃは、第３実施形態の運動処方装置１Ｃが備える各構成（図６参照）と同様である。そして、体力判定装置３Ｃの筋厚評価部１２０は、第３実施形態の運動処方装置１Ｃの筋厚評価部１２０と同様に、筋厚受付部１１０で受け付けた筋厚と性別受付部１１１で受け付けた性別と年齢区分取得部１１２で取得した年齢区分に基づいて、筋厚評価値ＭＤを生成する。
【０２００】
例えば、年齢によって、筋肉に作用する神経系の働きや筋肉の効率が異なることから、同じ筋厚であっても年齢によって体力が相違することがある。よって、体力判定装置３Ｃは、年齢を考慮して筋厚評価値ＭＤを生成するので、より細かく筋厚を評価できる。
【０２０１】
このように、体力判定装置３Ｃは、性別及び年齢区分を考慮して筋厚評価値ＭＤを生成するので、より細かく筋厚を評価でき、これに基づいて判定結果情報ＪＤを生成したので、性別及び年齢を考慮したより適切な体力判定結果を被験者に提示することができる。
【０２０２】
なお、図２１を用いて、筋厚評価値ＭＤを生成する際に被験者の性別及び年齢を考慮する例について説明したが、筋厚評価値ＭＤ以外の体組成評価値（例えば、脂肪厚評価値ＦＤ）を生成する際に被験者の性別及び年齢を考慮するように構成してもよい。
【０２０３】
以上説明したように第９実施形態によれば、体力判定装置３Ｂは、被験者の年齢区分を取得する年齢区分取得部１１２をさらに備えている。そして、体組成評価部２３０は、年齢区分取得部１１２で取得した年齢区分に応じて、体組成情報受付部２２０で受け付けた体組成情報に対して決定する体組成評価値の一部または全部を異ならせるようにした。
【０２０４】
これにより、体力判定装置３Ｃは、年齢を考慮して体組成評価値を生成するので、年齢を考慮したより適切な体力判定結果を被験者に提示することができる。
【０２０５】
＜１０．第１０実施形態＞
第１０実施形態の体力判定装置３Ｄについて説明する。体力判定装置３Ｄは、体組成評価値を生成する際に、被験者の性別及び年齢区分の他に、身長及び体重を考慮する点を除いて、第９実施形態の体力判定装置３Ｃと同様に構成されている。ここでは、体組成評価値のうちの筋厚評価値ＭＤを生成する際に、被験者の性別及び年齢区分の他に身長及び体重を考慮する例について説明する。
【０２０６】
図２２に、ＣＰＵ１０が体力判定プログラムＰＨを実行することによって実現する体力判定装置３Ｄの機能ブロックを示す。図２２に示す体力判定装置３Ｄは、身長受付部１１３及び体重受付部１１４を追加した点及び筋厚評価テーブルＴＢＬ１１ｃの替わりに筋厚評価テーブルＴＢＬ１１ｄを用いる点を除いて、図２１に示す第９実施形態の体力判定装置３Ｃと同様に構成されている。ここで、身長受付部１１３、体重受付部１１４、及び筋厚評価テーブルＴＢＬ１１ｄは、第４実施形態の運動処方装置１Ｄが備える各構成（図７参照）と同様である。そして、体力判定装置３Ｄの筋厚評価部１２０は、筋厚受付部１１０で受け付けた筋厚、性別受付部１１１で受け付けた性別、年齢区分取得部１１２で取得した年齢区分、身長受付部１１３で受け付けた身長、及び体重受付部１１４で受け付けた体重に基づいて、筋厚評価値ＭＤを生成する。
【０２０７】
このように、体力判定装置３Ｄは、体重及び身長を考慮して筋厚評価値ＭＤを生成するので、より細かく筋厚を評価でき、これに基づいて判定結果情報ＪＤを生成したので、体重及び身長を考慮したより適切な体力判定結果を被験者に提示することができる。なお、身長と体重のいずれか一方と、性別及び年齢区分とを組み合わせて、筋厚評価値ＭＤを生成してもよい。この場合には、筋厚評価テーブルに、体重及び身長のいずれか一方、性別、並びに年齢区分に対応づけて筋厚を評価する基準となる閾値を記憶し、これを参照して閾値を特定すればよい。
【０２０８】
なお、図２２を用いて、筋厚評価値ＭＤを生成する際に被験者の性別及び年齢の他に身長又は体重を考慮する例について説明したが、筋厚評価値ＭＤ以外の体組成評価値（例えば、脂肪厚評価値ＦＤ）を生成する際に被験者の性別及び年齢の他に身長又は体重を考慮するように構成してもよい。
【０２０９】
以上説明したように第１０実施形態によれば、体力判定装置３Ｄは、被験者の身長の入力を受け付ける身長受付部１１３をさらに備えている。そして、体組成評価部２３０は、身長受付部１１３で受け付けた身長に応じて、体組成情報受付部２２０で受け付けた体組成情報に対して決定する体組成評価値の一部または全部を異ならせるようにした。これにより、体力判定装置３Ｄは、身長を考慮して体組成評価値を生成するので、身長を考慮したより適切な体力判定結果を被験者に提示することができる。
【０２１０】
また、被験者の体重を受け付ける体重受付部１１４をさらに備えている。そして、体組成評価部２３０は、体重受付部１１４で受け付けた体重に応じて、体組成情報受付部２２０で受け付けた体組成情報に対して決定する体組成評価値の一部または全部を異ならせるようにした。これにより、体力判定装置３Ｄは、体重を考慮して体組成評価値を生成するので、身長を考慮したより適切な体力判定結果を被験者に提示することができる。
【０２１１】
＜１１．第１１実施形態＞
第１１実施形態の体力判定装置３Ｅについて説明する。体力判定装置３Ｅは、判定結果情報ＪＤを生成する際に、被験者の運動力評価値ＥＤ及び体組成評価値の他に、形態評価値を考慮する点を除いて、第７実施形態の体力判定装置３Ａと同様に構成されている。形態評価値とは、被験者の身体部位の形態を評価した指標である。
【０２１２】
図２３に、ＣＰＵ１０が体力判定プログラムＰＨを実行することによって実現する体力判定装置３Ｅの機能ブロックを示す。図２３に示す体力判定装置３Ｅは、形態情報受付部２５０、形態評価部２６０、及び周径囲評価テーブルＴＢＬ１６を備えている点を除いて、図１７に示す第７実施形態の体力判定装置３Ａと同様に構成されている。ここでは、形態評価値として、被験者の大腿部の周径囲を評価した指標である周径囲評価値ＣＤを例として説明する。
【０２１３】
形態情報受付部２５０は、被験者の身体部位の形態に基づく形態情報の入力を受け付ける。形態評価部２６０は、形態情報受付部２５０で受け付けた形態情報に基づいて形態評価値を決定する。この図に示す例では、形態情報受付部２５０は、周径囲受付部２５１を備えている。また、形態評価部２６０は、周径囲評価部２６１を備えている。
【０２１４】
例えば、スポーツジムのインストラクターは、被験者の大腿部の周径囲をメジャーを使用して測定し、入力部１４を用いて周径囲の測定結果を被験者の形態情報として入力する。周径囲受付部２５１は、入力部１４によって入力される周径囲を上述の形態情報として受け付ける。また、周径囲評価部２６１は、周径囲受付部２５１で受け付けた周径囲に基づいて周径囲評価値ＣＤを決定する。
【０２１５】
ここで、周径囲評価テーブルＴＢＬ１６は、周径囲のグレーディングする基準となる閾値を記憶している。そして、周径囲評価部２６１は、周径囲評価テーブルＴＢＬ１６から読み出した閾値と周径囲とを比較して、周径囲評価値ＣＤを生成し、判定結果情報出力部１９０に供給する。
【０２１６】
判定結果情報出力部１９０は、判定テーブルＴＢＬ１５を参照して、身体能力取得部２１０から供給された運動力評価値ＥＤと、体組成評価部２３０から供給された体組成評価値（筋厚評価値ＭＤと脂肪厚評価値ＦＤ）と、周径囲評価部２６１から供給された周径囲評価値ＣＤとに基づいて、被験者の体力判定結果を示す判定結果情報ＪＤを生成する。
【０２１７】
この場合、判定テーブルＴＢＬ１５は、運動力評価値ＥＤ、体組成評価値（筋厚評価値ＭＤと脂肪厚評価値ＦＤ）、及び周径囲評価値ＣＤと、判定結果情報ＪＤとを対応付けて記憶している。例えば、判定テーブルＴＢＬ１５は、図１８に示す第１判定テーブルＴＢＬ１５ａと、図１９に示す第２判定テーブルＴＢＬ１５ｂとに加えて、第２判定テーブルＴＢＬ１５ｂにより定まる体力レベルに対して周径囲評価値ＣＤに基づいて補正する判定テーブル（例えば、第３判定テーブルＴＢＬ１５ｃ）を備えていればよい。
【０２１８】
以上説明したように第１１実施形態によれば、体力判定装置３Ｅは、被験者の身体部位の形態に基づく形態情報の入力を受け付ける形態情報受付部２５０と、形態情報受付部２５０で受け付けた形態情報に基づいて形態評価値を決定する形態評価部２６０とをさらに備えている。そして、判定結果情報出力部１９０は、少なくとも運動力評価値ＥＤ、体組成評価値、及び形態評価値に基づいて判定結果情報ＪＤを出力する。
【０２１９】
これにより、体力判定装置３Ｅは、運動力評価値ＥＤ、及び体組成評価値（筋厚評価値ＭＤと脂肪厚評価値ＦＤ）に加えて、周径囲評価値ＣＤを加味して判定結果情報ＪＤを生成したので、より適切な体力判定結果を被験者に提示することができる。
【０２２０】
なお、本実施形態では、大腿部の周径囲に基づく周径囲評価値ＣＤを形態評価値の例として説明したが、大腿部以外の身体部位の周径囲に基づく周径囲評価値ＣＤを形態評価値としてもよい。また、周径囲以外の被験者の身体部位の形態を評価した指標を形態評価値としてもよい。さらに、身長と体重とに基づいて算出される体格指数ＢＭＩ（Body Mass Index）を形態評価値としてもよい。なお、他の形態評価値を用いる場合には、その形態評価値に応じた評価テーブルが周径囲評価テーブルＴＢＬ１６に替えて備えられてもよいし、入力部１４によって入力される形態評価値（既に決められている形態評価値）を形態情報受付部２５０が受け付ける構成としてもよい。
【０２２１】
また、本実施形態の体力判定装置３Ｅは、第８から第１０実施形態で説明した筋厚評価値ＭＤの生成処理を適用することができる。即ち、図２０と、図２１と、図２２とにそれぞれ示す体力判定装置３Ｂ、３Ｃ、３Ｄが、形態情報受付部２５０、形態評価部２６０、及び周径囲評価テーブルＴＢＬ１６を備えている構成としてもよい。
【０２２２】
＜１２．第１２実施形態＞
第１２実施形態では、第７から第１１実施形態に係る体力判定システム３００が備える体力判定装置３Ａ〜３Ｅが生成する判定結果情報ＪＤに基づいて処方情報ＩＮＦを生成する運動処方装置１Ｈについて説明する。
【０２２３】
図２４に、運動処方装置１Ｈの機能ブロックを示す。運動処方装置１Ｈは、体力判定装置３Ａ〜３Ｅのいずれかと、処方情報出力部１６０と、処方テーブルＴＢＬ１３を備えている。体力判定装置３Ａ〜３Ｅは、判定結果情報ＪＤを出力して処方情報出力部１６０に供給する。処方情報出力部１６０は、体力判定装置３Ａ〜３Ｅのいずれかから供給された判定結果情報ＪＤに基づいて処方情報ＩＮＦを生成する。
【０２２４】
ここでは、処方テーブルＴＢＬ１３は、判定結果情報ＪＤと処方情報ＩＮＦとを対応付けて記憶している。例えば、処方テーブルＴＢＬ１３は、６段階の体力レベルのそれぞれに対応づけられた処方情報ＩＮＦを記憶している。処方情報出力部１６０は、処方テーブルＴＢＬ１３を参照して、体力判定装置３Ａ〜３Ｅのいずれかから供給された判定結果情報ＪＤに対応づけられた処方情報ＩＮＦを読み出す。
【０２２５】
このように、第１２実施形態によれば、運動処方装置１Ｈは、上述の第７から第１１実施形態の体力判定装置３Ａ〜３Ｅのいずれかが出力する判定結果情報ＪＤに基づいて、運動処方を示す処方情報ＩＮＦを出力する処方情報出力部１６０を備えている。
【０２２６】
なお、運動処方装置１Ｈは、図１０に示す問診結果受付部２４０と、問診テーブルＴＢＬ２０とをさらに備えた構成としてもよい。そして、処方情報出力部１６０は、判定結果情報ＪＤのみならず、判定結果情報ＪＤと問診結果情報ＰＤとに基づいて、処方情報ＩＮＦを生成してもよい。この場合、処方テーブルＴＢＬ１３は、判定結果情報ＪＤと問診結果情報ＰＤと処方情報ＩＮＦとを対応付けて記憶してもよい。
【０２２７】
これにより、運動処方装置１Ｈは、身体能力評価値に基づいて生成された判定結果情報ＪＤ又は問診結果情報ＰＤに基づいて、処方情報ＩＮＦを生成することができるため、上述した運動処方装置１Ａ〜１Ｇと同様に被験者に適した運動処方を提示することができる。
【０２２８】
なお、運動処方装置１Ｈは、体力判定装置３Ａ〜３Ｅのいずれかを内蔵した構成としてもよいし、体力判定装置３Ａ〜３Ｅのいずれかを外部装置として備え、その外部装置としての体力判定装置３Ａ〜３Ｅのいずれかが生成した判定結果情報ＪＤを、有線又は無線通信、或いは可搬可能な記憶媒体を介して取得する構成としてもよい。
【０２２９】
＜１３．変形例＞
本発明は、上述した各実施形態に限定されるものではなく、例えば、以下の変形が可能である。また、各変形例と上述した各実施形態は適宜組み合わせてもよい。
（１）上述した各実施形態では、筋厚及び脂肪厚（皮下脂肪厚）を、超音波測定装置２を用いて取得したが、本発明はこれに限定されるものではなく、筋厚及び脂肪厚はどのような測定法で取得したものであってもよい。例えば、身体部位の生体電気インピーダンスを測定し、年齢、性別、身長及び体重といった被験者の生体情報の少なくとも一つと測定結果とに基づいて、皮下脂肪厚や筋厚を推定してもよい。さらに、脂肪厚の替わりに、脂肪量（皮下脂肪量や内蔵脂肪量）を用いてもよい。くわえて、超音波測定装置２は、インターフェース１８を介して運動処方装置１Ａ〜１Ｈ又は体力判定装置３Ａ〜３Ｅに接続されなくてもよい。超音波測定装置２が表示部を備えるのであれば、その表示部に表示される内部組織の画像を見ながら、入力部１４を用いて筋厚及び皮下脂肪厚を入力すればよい。あるいは、超音波測定装置２を他の装置に接続し、当該他の装置の表示部に表示される内部組織の画像を見ながら、入力部１４を用いて筋厚及び皮下脂肪厚を入力してもよい。
【０２３０】
（２）また、上述した各実施形態では、運動力評価値ＥＤを被験者が立ち上がり動作をすることにより特定したが、本発明はこれに限定されることなく、どのような手法によって被験者の運動力を評価し、運動力評価値ＥＤを生成してもよい。例えば、椅子に座った状態で負荷が掛った状態から脚を蹴り上げる動作をして、その力を測定装置で測定してもよい。この場合は、入力部１４を用いてインストラクターが運動力評価値ＥＤを入力すればよい。あるいは、測定装置と運動処方装置１Ａ〜１Ｈ又は体力判定装置３Ａ〜３Ｅとを接続し、測定結果を運動処方装置１Ａ〜１Ｈ又は体力判定装置３Ａ〜３Ｅに取り込み、運動力受付部１３０の前段に運動力評価部を設け、測定結果を予め定めた閾値と比較することによって、運動力評価値ＥＤを生成し、これを運動力受付部１３０に供給してもよい。
【０２３１】
（３）また、上述した実施形態において、処方テーブルＴＢＬ１３又は判定テーブルＴＢＬ１５が、運動力評価値ＥＤ、筋厚評価値ＭＤ及び脂肪厚評価値ＦＤと処方情報ＩＮＦとを対応づけて記憶する例を説明したが、脂肪厚評価値ＦＤは必須ではなく、これが無くてもよい。この場合、脂肪厚評価テーブルＴＢＬ１２、脂肪厚受付部１４０、及び脂肪厚評価部１５０は省略することができる。これにより、図４に示す処方テーブルＴＢＬ１３の記憶容量は１／３に削減することができる。この場合にも、運動力評価値ＥＤ及び筋厚評価値ＭＤに基づいて処方情報ＩＮＦを決定するので、いずれか一方のみに基づいて処方情報ＩＮＦを生成する場合と比較して、より適切な運動処方を被験者に提示することができる。
【０２３２】
また、処方テーブルＴＢＬ１３に、処方情報ＩＮＦと対応づけて、運動力評価値ＥＤ、筋厚評価値ＭＤ、脂肪厚評価値ＦＤ及び被験者の生体の状態を示す生体情報を記憶し、処方情報出力部１６０は、運動力評価値ＥＤ及び筋厚評価値ＭＤの他に生体情報を加味して、処方情報ＩＮＦを出力してもよい。また、判定テーブルＴＢＬ１５に判定結果情報ＪＤと対応づけて、運動力評価値ＥＤ、筋厚評価値ＭＤ、脂肪厚評価値ＦＤ及び被験者の生体の状態を示す生体情報を記憶し判定結果情報出力部１９０は、運動力評価値ＥＤ及び筋厚評価値ＭＤの他に生体情報を加味して、判定結果情報ＪＤを出力してもよい。生体情報としては、性別、年齢、体重、身長、人種及びＢＭＩのうち少なくとも一つが含まれることが好ましい。
くわえて、処方テーブルＴＢＬ１３又は判定テーブルＴＢＬ１５のデータ構造は、図４図１１、図１８、又は図１９に示すものに限定されず、任意である。要は、運動力評価値ＥＤ、筋厚評価値ＭＤ及び脂肪厚評価値ＦＤに基づいて、対応する処方情報ＩＮＦ又は判定結果情報ＪＤが特定できさえすればよい。例えば、複数のテーブルを関係付けた関係データベースを用いて処方情報ＩＮＦ又は判定結果情報ＪＤを特定してもよい。
【０２３３】
（４）また、上述した各実施形態では、筋厚をグレーディングして筋厚評価値ＭＤを得るために、１）性別、２）性別及び年齢、並びに３）性別、年齢、体重及び身長を考慮して筋厚評価値ＭＤを決定したが、本発明はこれに限定されるものでなく、性別、年齢、体重及び身長のうち少なくとも一つに基づいて、筋厚をグレーディングする基準となる閾値を特定し、特定した閾値を用いて、筋厚をグレーディングして筋厚評価値ＭＤを得てもよい。この場合には、筋厚評価テーブルＴＢＬ１１に閾値と生体の特徴を示す要素とを対応づけて記憶し、生体の特徴から閾値を特定すればよい。あるいは、生体の特徴を示す要素と筋厚評価値ＭＤとを対応づけて記憶したテーブルを参照して、筋厚評価値ＭＤを生成してもよい。
また、筋厚評価値ＭＤに限らず他の体組成評価値を得る場合にも、性別、年齢、体重及び身長のうち少なくとも一つに基づいて、体組成情報をグレーディングして体組成評価値を得てもよい。
【０２３４】
（５）また、上述した第３、第４、第９及び第１０実施形態ではシニアと非シニアといった年齢区分を加味して、筋厚評価を行ったが、３以上の年齢区分を設けてもよく、年齢区分は年齢そのものであってもよい。また、被験者の対象年齢の範囲を例えば、１６歳以上９０歳未満とし、対象年齢の範囲外の年齢に応じた各評価値のデータを具備しないようにしてもよい。
【０２３５】
（６）また、上述した第１から第５実施形態では、運動内容を特定した処方情報ＩＮＦを出力することはできなかったが、本発明はこれに限定されるものではなく、被験者が所望する運動内容の入力を受け付ける運動内容受付部２４２（第６実施形態参照）をさらに備え、処方情報出力部１６０は、運動内容受付部２４２で受け付けた運動内容に基づいて処方情報ＩＮＦを出力してもよい。この場合、処方テーブルＴＢＬ１３に記憶される処方情報ＩＮＦを運動内容に応じて分類して記憶しておき、受け付けた運動内容に対応する処方情報ＩＮＦを出力すればよい。
【０２３６】
（７）また、上述した各実施形態では、運動処方装置１Ａ〜１Ｈ又は体力判定装置３Ａ〜３Ｅは、スポーツジムなどに設置されることを前提としたが、本発明はこれに限定されるものではなく、図２５又は図２６に示すようにインターネットなどの通信網ＮＥＴを介してインストラクターが管理する端末装置４００と接続されるものであってもよい。この場合、運動処方装置１Ａ〜１Ｈ又は体力判定装置３Ａ〜３Ｅは、サーバ装置として機能し、端末装置４００で入力される体組成情報（筋厚、脂肪厚等）、及び運動力評価値ＥＤを、通信インターフェース１６を介して受け付けて、処方情報ＩＮＦ又は判定結果情報ＪＤを端末装置４００に返信する。
また、閲覧指示については、被験者の端末装置４００からのものを運動処方装置１Ａ〜１Ｈ又は体力判定装置３Ａ〜３Ｅで受け付けてもよい。この場合、通信インターフェース１６は、被験者の端末装置４００と通信可能な通信部として機能し、閲覧受付部１７０は、通信インターフェース１６を用いて被験者の閲覧指示を受け付け、閲覧情報出力部１８０は、通信インターフェース１６を用いて閲覧情報Ｘを被験者の端末装置４００に出力すればよい。これにより、被験者は端末装置４００を操作することによって、過去の履歴を閲覧することができる。
【０２３７】
（８）また、上述した各実施形態では、筋厚評価部１２０は筋厚評価テーブルＴＢＬ１１ａ〜ＴＢＬ１１ｄに記憶された閾値を用いて、筋厚をグレーディングすることにより筋厚評価値ＭＤを生成したが、本発明はこれに限定されるものではなく、筋厚評価テーブルＴＢＬ１１ａ〜ＴＢＬ１１ｄに筋厚及び性別などの各種生体情報と筋厚評価値ＭＤとを対応づけて記憶し、これを参照して、筋厚評価値ＭＤを生成してもよい。さらに、筋厚評価部１２０は筋厚評価テーブルＴＢＬ１１ａ〜ＴＢＬ１１ｄを参照することなく、所定の演算によって筋厚評価値ＭＤを生成してもよい。
【０２３８】
（９）また、上述した各実施形態では、脂肪厚評価部１５０は脂肪厚評価テーブルＴＢＬ１２に記憶された閾値を用いて、脂肪厚をグレーディングすることにより脂肪厚評価値ＦＤを生成したが、本発明はこれに限定されるものではなく、脂肪厚評価テーブルＴＢＬ１２に脂肪厚と脂肪厚評価値ＦＤとを対応づけて記憶し、これを参照して、脂肪厚評価値ＦＤを生成してもよい。さらに、脂肪厚評価部１５０は脂肪厚評価テーブルＴＢＬ１２を参照することなく、所定の演算によって脂肪厚評価値ＦＤを生成してもよい。
【０２３９】
（１０）また、上述した各実施形態や変形例では、入力部１４を用いて、性別、年齢区分、体重、身長などの被験者の生体情報、あるいは問診結果（運動目標や運動内容）を入力したが、本発明はこれに限定されるものではなく、被験者の識別情報と、上記生体情報や問診結果（運動目標や運動内容）を対応づけて記憶したテーブルを設けておき、このテーブルを参照して必要な情報を読み出して、各受付部に情報を渡すようにしてもよい。これによって、スポーツジムなどでは、被験者の健康を総合的に管理し、入力の手間を無くすことができる。
【０２４０】
（１１）また、上述した第４及び第１０実施形態では、入力部１４を用いて、体重と身長を入力した。この場合、体重はｋｇ単位で入力し、身長はｃｍ単位で入力すればよい。また、例えば、身長を１６０ｃｍ以下、１６０ｃｍ以上１７０ｃｍ未満、１７０ｃｍ以上１８０ｃｍ未満、１８０ｃｍ以上といった４段階で入力してもよい。この場合には、ディスプレイ１５に身長の区分を表示し、これをクリックすることによって入力してもよい。即ち、身長受付部１１３で受け付ける身長の入力には、身長を区分した身長区分が含まれる。
体重についても同様に、例えば、５０ｋｇ未満、５０ｋｇ以上６０ｋｇ未満、６０ｋｇ以上７０ｋｇ未満、７０ｋｇ以上８０ｋｇ未満、８０ｋｇ以上といったように５段階で入力してもよい。この場合には、ディスプレイ１５に体重の区分を表示し、これをクリックすることによって入力してもよい。即ち、体重受付部１１４で受け付ける体重の入力には、体重を区分した体重区分が含まれる。
【０２４１】
（１２）また、上記実施形態では、体組成評価値には、筋厚評価値ＭＤ又は脂肪厚評価値ＦＤが含まれる例を説明したが、これに限られるものではない。例えば、体組成評価値には、筋密度を評価した指標である筋密度評価値が含まれてもよい。なお、体組成評価値は、筋厚評価値ＭＤ、脂肪厚評価値ＦＤ、及び筋密度評価値のうちの任意の組合せとしてもよい。さらに、体組成評価値には、筋厚評価値ＭＤ、脂肪厚評価値ＦＤ、及び筋密度評価値以外の体組成を評価した評価値が含まれてもよく、例えば、体脂肪率、筋肉量、骨量、骨密度、内臓脂肪、基礎代謝等の評価値が含まれてもよい。
【０２４２】
（１３）また、上述した第１１実施形態において、体力判定装置３Ｅが形態評価値を加味して判定結果情報ＪＤを生成する例を示したが、運動処方装置１Ａ〜１Ｈが形態評価値を加味して処方情報ＩＮＦを生成してもよい。
【０２４３】
（１４）また、上述した各実施形態では、処方情報ＩＮＦの出力又は判定結果情報ＪＤの出力の例として、ディスプレイ１５への表示を例に説明したが、これに限られるものではなく、紙媒体への印刷（帳票出力）、又はデータファイルの生成（データ出力）としてもよい。
【０２４４】
（１５）また、スポーツジムの店舗によって、提供できる運動方法の種類が異なる場合がある。例えば、店舗によって、プール設備のないスポーツジムや、スタジオ設備のないスポーツジムがある。そこで、運動処方装置１Ａ〜１Ｈは、複数の店舗のそれぞれで対応可能な運動方法の種類を定義したテーブルを具備するようにしてもよい。そして、運動処方装置１Ａ〜１Ｈは、問診(２)において、問診を実施したスポーツジムで対応可能な運動方法を提示するようにしてもよい。ここで、運動処方装置１Ａ〜１Ｈは、店舗の設定を問診の都度入力できるようにしてもよいし、あらかじめ設定画面で店舗を設定できるようにしてもよい。
また、運動処方装置１Ａ〜１Ｈは、問診(２)において、店舗毎に提供できる運動方法のみに限らず全ての運動方法を提示するようにして、運動処方（処方情報ＩＮＦ）を出力する際に、当該運動処方を実施可能な店舗に関する情報を表示するようにしてもよい。ここで、表示する店舗の候補としては、問診を実施する店舗とその近隣の店舗とを優先して候補とする方法や、あらかじめ利用者（被験者）が登録した複数の店舗（自宅に近い店舗や勤務先に近い店舗）を利用可能にしている場合には、登録した複数の店舗を優先して候補とする方法がある。
【０２４５】
（１６）また、運動処方装置１Ａ〜１Ｈは、Ｗｅｂサービスにて、運動処方（処方情報ＩＮＦ）を提供してもよい。この場合、運動処方装置１Ａ〜１Ｈは、当該Ｗｅｂサービスを介して利用者（被験者）に、家庭で実施できるような簡易な、例えば腹筋回数を運動力評価値ＥＤとして入力させるようにする。そして、運動処方装置１Ａ〜１Ｈは、運動処方（処方情報ＩＮＦ）を出力する際に、当該Ｗｅｂサービスを提供しているスポーツジムの店舗に関する情報を表示させるようにする。このとき、運動処方装置１Ａ〜１Ｈは、利用者（被験者）が所望する地域を設定可能とし、設定された地域に応じた店舗を表示するようにしてもよい。このようにＷｅｂサービスを用いた場合には、スポーツジムの新規会員獲得としての効果も得られる。
なお、体力判定装置３Ａ〜３Ｅは、Ｗｅｂサービスにて、体力判定結果（判定結果情報ＪＤ）を提供してもよい。そして、体力判定装置３Ａ〜３Ｅは、体力判定結果（判定結果情報ＪＤ）を出力する際に、当該Ｗｅｂサービスを提供しているスポーツジムの店舗に関する情報を表示させるようにしてもよい。
【０２４６】
（１７）なお、上述の運動処方プログラムＰ又は体力判定プログラムＰＨ（以下、単に「プログラム」ともいう）をコンピュータ読み取り可能な記録媒体に記録して、この記録媒体に記録されたプログラムをコンピュータシステムに読み込ませ、実行することにより上述の運動処方装置１Ａ〜１Ｈ又は体力判定装置３Ａ〜３Ｅ（以下、単に「装置」ともいう）の機能を実現してもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、装置で実行可能な形式のプログラムのコードと異なるものでもよい。すなわち、配信サーバからダウンロードされて装置で実行可能な形でインストールができるものであれば、配信サーバで記憶される形式は問わない。なお、プログラムを複数に分割し、それぞれ異なるタイミングでダウンロードした後に装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【０２４７】
（１８）また、上述した機能の一部または全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０２４８】
１Ａ〜１Ｈ  運動処方装置、２  超音波測定装置、３Ａ〜３Ｅ  体力判定装置、１０  ＣＰＵ、１３  ハードディスク、１４  入力部、１５  ディスプレイ、１６  通信インターフェース、１７  読取装置、１８  インターフェース、ＴＢＬ１１ａ〜ＴＢＬ１１ｄ  筋厚評価テーブル、ＴＢＬ１２  脂肪厚評価テーブル、ＴＢＬ１３  処方テーブル、ＴＢＬ１４  履歴テーブル、ＴＢＬ１５  判定テーブル、ＴＢＬ１６  周径囲評価テーブル、ＴＢＬ２０  問診テーブル、ＴＢＬ２１  運動目標テーブル、ＴＢＬ２２  運動内容テーブル、１００  運動処方システム、１１０  筋厚受付部、１２０  筋厚評価部、１３０  運動力受付部、１４０  脂肪厚受付部、１５０  脂肪厚評価部、１６０  処方情報出力部、１７０  閲覧受付部、１８０  閲覧情報出力部、２１０  身体能力取得部、２２０  体組成情報受付部、２３０  体組成評価部、２４０  問診結果受付部、２４１  運動目標受付部、２４２  運動内容受付部、２５０  形態情報受付部、２５１  周径囲受付部、２６０  形態評価部、２６１  周径囲評価部、３００  体力判定システム、４００  端末装置、ＮＥＴ  通信網
【図１】
2014153962.tif 000003
【図２】
2014153962.tif 000004
【図３】
2014153962.tif 000005
【図４】
2014153962.tif 000006
【図５】
2014153962.tif 000007
【図６】
2014153962.tif 000008
【図７】
2014153962.tif 000009
【図８】
2014153962.tif 000010
【図９】
2014153962.tif 000011
【図１０】
2014153962.tif 000012
【図１１】
2014153962.tif 000013
【図１２】
2014153962.tif 000014
【図１３】
2014153962.tif 000015
【図１４】
2014153962.tif 000016
【図１５】
2014153962.tif 000017
【図１６】
2014153962.tif 000018
【図１７】
2014153962.tif 000019
【図１８】
2014153962.tif 000020
【図１９】
2014153962.tif 000021
【図２０】
2014153962.tif 000022
【図２１】
2014153962.tif 000023
【図２２】
2014153962.tif 000024
【図２３】
2014153962.tif 000025
【図２４】
2014153962.tif 000026
【図２５】
2014153962.tif 000027
【図２６】
2014153962.tif 000028